(57)【要約】【課題】ロッカー錠等のシリンダー錠の交換作業を簡単かつ短時間に行えるようにする。【解決手段】この錠前装置１では、錠前装置の取付位置にシリンダー錠取付ベース１１により施錠側のシリンダー錠１３を挿脱可能に取り付けるとともに、マスター錠としてマスター錠側のシリンダー錠１７を取り付け固定し、施錠側のシリンダー錠１３をマスター錠側のシリンダー錠１７のキー操作で駆動される抜け止め作動部材１８により作動する抜け止め部材１４により係脱可能に固定して、施錠側のシリンダー錠１３を、マスター錠側のシリンダー錠１７の施錠操作により固定し、解錠操作により取り外し可能とした。【選択図】図７
2015031139.tif 000002
【特許請求の範囲】
【請求項１】
取付位置に固定され、施錠側のシリンダー錠取付穴及びマスター錠側のシリンダー錠取付穴を有するシリンダー錠取付ベースと、
前記取付ベースに並設され、前記施錠側のシリンダー錠取付穴に対向配置される略筒状の動力伝達軸保持部、及び前記動力伝達軸保持部に隣接し各種の施錠部材に対応して形成される施錠部材装着部を有する施錠部材取付ベースと、
前記シリンダー錠取付ベースの前記施錠側のシリンダー錠取付穴に挿脱可能に取り付けられる施錠側のシリンダー錠と、
前記シリンダー錠取付ベース又は前記施錠部材取付ベースに前記施錠側のシリンダー錠の周囲に係脱可能に配設され、前記施錠側のシリンダー錠の挿脱方向の動きを規制する抜け止め部材と、
前記施錠部材取付ベースの前記動力伝達軸保持部に回転可能に配置され、前記施錠側のシリンダー錠の錠軸と作動連結されて、前記施錠部材装着部に突出される動力伝達軸と、
前記施錠部材取付ベースの前記施錠部材装着部に配置され、前記動力伝達軸に作動連結されて、前記施錠側のシリンダー錠のキー操作により作動される施錠部材と、
前記シリンダー錠取付ベースの前記マスター錠側のシリンダー錠取付穴に前記施錠側のシリンダー錠のマスター錠として取り付け固定されるマスター錠側のシリンダー錠と、
前記マスター錠側のシリンダー錠の錠軸に当該錠軸と一体に回動可能に取り付けられ、前記抜け止め部材に作動連結されて、前記マスター錠側のシリンダー錠をキー操作により施錠又は解錠することにより前記抜け止め部材を前記施錠側のシリンダー錠の周囲に係脱させる抜け止め作動部材と、
を備え、
取付位置に取り付けた前記施錠側のシリンダー錠を、前記マスター錠側のシリンダー錠の施錠操作により固定し、解錠操作により取り外し可能とした、
ことを特徴とするマスター錠付き錠前装置。
【請求項２】
前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側一方の半面側から係止可能な駆動側の押えプレートと、一端側が前記駆動側の押えプレートの一端に近接して前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側他方の半面側から係止可能な従動側の押えプレートと、前記駆動側、従動側の各押えプレートの一端間に形成され、前記駆動側の押えプレートが前記施錠側のシリンダー錠の係止溝に係止された状態から離れ、係止状態が解除される方向の前記駆動側の押えプレートの回動に係合して、前記従動側の押えプレートが前記施錠側のシリンダー錠の係止溝に係止された状態から離れ、係止状態が解除される方向に回動可能なカム機構と、前記シリンダー錠取付ベース又は前記施錠部材取付ベースに配設され、前記駆動側、従動側の各押えプレートが前記施錠側のシリンダー錠の外周面の係止溝に係止可能に前記駆動側、従動側の各押えプレートを前記係止溝に向けて押圧付勢するばね部材とを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートを他端に係合させ、前記駆動側の押えプレートと前記施錠側のシリンダー錠の外周面の係止溝との係合を解除するアンロック位置との間で回動可能に構成される請求項１に記載のマスター錠付き錠前装置。
【請求項３】
前記施錠側のシリンダー錠の外周面に周方向に係止溝を有し、
前記抜け止め部材は、一端が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側一方の半面側から係止可能な駆動側の押えプレートと、一端が前記駆動側の押えプレートの一端に近接して前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側他方の半面側から係止可能な従動側の押えプレートと、前記駆動側、従動側の各押えプレートの一端間に形成され、前記駆動側の押えプレートが前記施錠側のシリンダー錠の係止溝に係止される方向の前記駆動側の押えプレートの回動に係合して、前記従動側の押えプレートが前記施錠側のシリンダー錠の係止溝に係止される方向に回動し、前記駆動側の押えプレートが前記施錠側のシリンダー錠の係止溝に係止された状態から離れ、係止状態が解除される方向の前記駆動側の押えプレートの回動に係合して、前記従動側の押えプレートが前記施錠側のシリンダー錠の係止溝に係止された状態から離れ、係止状態が解除される方向に回動するギヤ機構とを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートの他端に係合させ、前記駆動側の押えプレートの前記施錠側のシリンダー錠の外周面の係止溝との係止状態を解除するアンロック位置との間で回動可能に構成される請求項１に記載のマスター錠付き錠前装置。
【請求項４】
前記抜け止め部材は、前記シリンダー錠取付ベース又は前記施錠部材取付ベースに配設され、前記駆動側、従動側の各押えプレートを前記施錠側のシリンダー錠の外周面の係止溝に向けて押圧付勢するばね部材を併せて備える請求項３に記載のマスター錠付き錠前装置。
【請求項５】
前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に係止可能な押えプレートを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートの他端に係合させ、前記駆動側の押えプレートの前記施錠側のシリンダー錠の外周面の係止溝との係止状態を解除するアンロック位置との間で回動可能に構成される請求項１に記載のマスター錠付き錠前装置。
【請求項６】
前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に係止可能な押えプレートと、前記シリンダー錠取付ベース又は前記施錠部材取付ベースに配設され、前記押えプレートが前記施錠側のシリンダー錠の外周面の係止溝に係止された状態から離れ、係止状態が解除される方向に前記押えプレートを押圧付勢するばね部材とを備え、
前記抜け止め作動部材は、前記マスター錠側のシリンダー錠の錠軸に取り付けられて、前記錠軸の周囲に略直線的に延び、先端に前記押えプレートの他端に対して前記押えプレートを前記施錠側のシリンダー錠の外周面の係止溝に係止させる方向に係合し押圧可能なロック部を有し、前記マスター錠側のシリンダー錠のキー操作により、前記ロック部を前記押えプレートの他端に係合させ、前記押えプレートを前記施錠側のシリンダー錠の外周面の係止溝に係止させるロック位置と、前記ロック部を前記押えプレートの他端から離間させ、前記押えプレートと前記施錠側のシリンダー錠の外周面の係止溝との係止状態を解除するアンロック位置との間で回動可能に構成される請求項１に記載のマスター錠付き錠前装置。
【請求項７】
前記施錠側のシリンダー錠の外周面に周方向に係止溝を有し、
前記抜け止め部材は、前記施錠側のシリンダー錠を挿通可能な大きい穴と前記施錠側のシリンダー錠の外周面の係止溝に係止可能な小さい穴を連続形成してなるだるま穴を有し、前記シリンダー錠取付ベース又は前記施錠部材取付ベースでかつ前記施錠側のシリンダー錠取付穴の周囲に組み込み可能に形成されて、前記シリンダー錠取付ベース又は前記施錠部材取付ベースでかつ前記施錠側のシリンダー錠取付穴の周囲に前記施錠側のシリンダー錠取付穴から前記マスター錠側のシリンダー錠取付穴に向けて又はその反対にスライド可能に配置されるスライドプレートと、前記シリンダー錠取付ベース又は前記施錠部材取付ベースと前記スライドプレートとの間に配設され、前記スライドプレートを、前記だるま穴の大きい穴が前記施錠側のシリンダー錠取付穴に対して同芯上に一致して前記施錠側のシリンダー錠取付穴に前記施錠側のシリンダー錠が挿脱可能な位置と、前記だるま穴の小さい穴が前記施錠側のシリンダー錠取付穴に対して同芯上に一致して前記小さい穴の縁部が前記施錠側のシリンダー錠の外周面の係止溝に係止可能な位置との間で、スライド案内するガイド部材と、前記シリンダー錠取付ベース又は前記施錠部材取付ベースに配設され、前記スライドプレートを常態として前記だるま穴の大きい穴が前記施錠側のシリンダー錠取付穴に対して同芯上に一致可能に前記マスター錠側のシリンダー錠に向けて押圧付勢するばね部材とを備え、
前記抜け止め作動部材は、前記マスター錠側のシリンダー錠の錠軸に取り付けられて、前記錠軸の周囲に略直線的に延び、先端に前記スライドプレートに対して前記だるま穴の小さい穴が前記施錠側のシリンダー錠取付穴に対して同芯上に一致する方向に係合して押圧可能なロック部を有し、前記マスター錠側のシリンダー錠のキー操作により、前記ロック部を前記スライドプレートに係合させて、前記スライドプレートをスライドし前記だるま穴の小さい穴を前記施錠側のシリンダー錠の外周面の係止溝に係止させるロック位置と、前記ロック部を前記スライドプレートから離間させて、前記ばね部材の押圧付勢により前記スライドプレートをスライドし前記だるま穴の小さい穴と前記施錠側のシリンダー錠の外周面の係止溝との係止状態を解除し、前記だるま穴の大きい穴を前記施錠側のシリンダー錠に対して同芯上に一致させるアンロック位置との間で回動可能に構成される請求項１に記載のマスター錠付き錠前装置。
【請求項８】
前記施錠側のシリンダー錠の外周面に周方向に係止溝を有し、
前記抜け止め部材は、前記施錠側のシリンダー錠を挿通可能な大きい穴と前記施錠側のシリンダー錠の外周面の係止溝に係止可能な小さい穴を連続形成してなるだるま穴を有し、前記シリンダー錠取付ベース又は前記施錠部材取付ベースでかつ前記施錠側のシリンダー錠取付穴の周囲に組み込み可能に形成されて、前記シリンダー錠取付ベース又は前記施錠部材取付ベースでかつ前記施錠側のシリンダー錠取付穴の周囲に前記施錠側のシリンダー錠取付穴から前記マスター錠側のシリンダー錠取付穴に向けて又はその反対にスライド可能に配置されるスライドプレートと、前記スライドプレートの前記マスター錠側のシリンダー錠取付穴側の端部に形成され、前記スライドプレートを前記だるま穴の小さい穴が前記施錠側のシリンダー錠取付穴に対して同芯上に一致する方向に押圧するための被押圧面、及び前記スライドプレートを前記だるま穴の大きい穴が前記施錠側のシリンダー錠取付穴に対して同芯上に一致する方向に押圧するための被係止押圧面と、前記シリンダー錠取付ベース又は前記施錠部材取付ベースと前記スライドプレートとの間に配設され、前記スライドプレートを、前記だるま穴の大きい穴が前記施錠側のシリンダー錠取付穴に対して同芯上に一致して前記施錠側のシリンダー錠取付穴に前記施錠側のシリンダー錠を挿脱可能な位置と、前記だるま穴の小さい穴が前記施錠側のシリンダー錠取付穴に対して同芯上に一致して前記小さい穴の縁部が前記施錠側のシリンダー錠の外周面の係止溝に係止可能な位置との間で、スライド案内するガイド部材とを備え、
前記抜け止め作動部材は、前記マスター錠側のシリンダー錠の錠軸に取り付けられて、前記錠軸の周囲に略直線的に延び、先端に前記スライドプレートの被押圧面に対して前記だるま穴の小さい穴が前記施錠側のシリンダー錠取付穴に対して同芯上に一致する方向に係合して又は前記スライドプレートの被係止押圧面に対して前記だるま穴の大きい穴が前記施錠側のシリンダー錠取付穴に対して同芯上に一致する方向に係合して押圧可能なロック部を有し、前記マスター錠側のシリンダー錠のキー操作により、前記ロック部を前記スライドプレートの被押圧面に係合させて、前記スライドプレートをスライドし前記だるま穴の小さい穴を前記施錠側のシリンダー錠の外周面の係止溝に係止させるロック位置と、前記ロック部を前記スライドプレートの被係止押圧面に係合させて、前記スライドプレートをスライドし前記だるま穴の小さい穴と前記施錠側のシリンダー錠の外周面の係止溝との係止状態を解除し、前記だるま穴の大きい穴を前記施錠側のシリンダー錠に対して同芯上に一致させるアンロック位置との間で、回動可能に構成される請求項１に記載のマスター錠付き錠前装置。
【発明の詳細な説明】
【技術分野】
【０００１】
本発明は、老人ホームを含む各種の老人福祉施設、各種のスポーツ施設など各種施設に設置されるロッカーや、オフィスなどに設置されるロッカー、キャビネットなどの施錠に使用するマスター錠付き錠前装置に関する。
【背景技術】
【０００２】
例えば、老人ホームや各種の老人福祉施設などでは、施設内の設備の１つとしてロッカーが設置され、施設利用者（以下、ユーザーという。）の衣類や手荷物などの収納に利用されている。このロッカーには鍵（錠前装置）が付いているものが多く、施錠することで所定のキー以外では開けることができず、収納物を盗難から守ることができるようになっている。
従来、この種のロッカーの錠前装置はダイヤル錠やシリンダー錠が用いられることが多い。ダイヤル錠は暗証番号によって施錠、解錠する錠前で、キーが要らない点に利点があるが、ユーザーが高齢のために、暗証番号を覚えることが困難であったり、暗証番号を忘れやすくなったりする場合に、使い勝手が悪い。また、ダイヤル錠はダイヤルを回しているうちに解錠してしまうことがあり、防犯の観点からも好ましくない。このような点で見ると、老人福祉施設では、ロッカーの錠前装置にキーで施錠、解錠するシリンダー錠が適しているともいえる。一般にシリンダー錠は、例えば特許文献１などに開示されているように、ロータケース（外筒）と、ロータケース内に回動自在に嵌合され、多数のタンブラーを配列されたロータ（内筒）とを備え、キーをロータに差し込むことによりロータが回動可能となり、キーを回すことでロータを回動し、このロータに連動する掛け金具（施錠部材）を受け金具に係脱する構造になっている。
【先行技術文献】
【特許文献】
【０００３】
【特許文献１】特開２００４−３１６１４０公報
【発明の概要】
【発明が解決しようとする課題】
【０００４】
さて、老人ホームや各種の老人福祉施設などに設置されるロッカーなどに使用する錠前装置としては、既述のとおり、ダイヤル錠よりもシリンダー錠が適しているが、このシリンダー錠にも、次のような点で問題がある。
（１）ユーザーがキーを自主管理する場合、ユーザーが高齢のために、キーを落としたり置き忘れたり、また盗難にあったりして、キーを紛失することがあり、キーを失くせば、施錠されたロッカーを開けることができない。また、この場合、悪意の第３者が紛失したキーを拾うと、キーを悪用される恐れがある。
（２）ユーザーのキーの紛失に備えて、マスターキーが必要となり、施設側にマスターキーの管理が要求される。マスターキーを紛失すると、ロッカーを開けることができないばかりか、錠前装置を交換することもできない。
（３）ユーザーが死亡などを原因として施設から退所する際に、ユーザーが使用していたロッカーのキーをユーザーの家族などが持ち帰ることがあり、この場合、空いたロッカーを次のユーザーが使用することができない。また、このユーザーや家族がキーを所持していたり、キーをコピーしてこのキーがユーザーや家族の手元に残っていたりするような場合、防犯上の点で好ましくない。
（４）キーは過去に使ったものであったり重複したものであったりしてはならないことから、新たに入所するユーザーや家族から錠前装置全体の交換を要望されることが多い。
（５）以上（１）−（４）の事由により、錠前装置の交換が必要になった場合、新たな錠前装置を購入して取り替えることになるが、錠前装置の交換作業はある程度の技能が要求されるため、所謂素人では、交換作業が煩雑になり、多くの作業時間を必要とし、また、錠前装置を交換できければ、専門業者に依頼する他なく、この場合、錠前装置の交換に要するコストが増大することになる。
【０００５】
本発明は、このような従来の問題を解決するもので、錠前装置の交換が必要になった場合に、錠前装置の交換作業に関してまったく技能のない者でも、簡単かつ短時間に交換作業を行え、また、マスターキーはあってもなくてもよく、錠前装置が施錠状態であっても錠前装置を交換することができ、しかも交換に要する費用を低く抑えることのできるマスター錠付き錠前装置を提供すること、を目的とする。
【課題を解決するための手段】
【０００６】
上記目的を達成するために、本発明のマスター錠付き錠前装置は、
取付位置に固定され、施錠側のシリンダー錠取付穴及びマスター錠側のシリンダー錠取付穴を有するシリンダー錠取付ベースと、
前記取付ベースに並設され、前記施錠側のシリンダー錠取付穴に対向配置される略筒状の動力伝達軸保持部、及び前記動力伝達軸保持部に隣接し各種の施錠部材に対応して形成される施錠部材装着部を有する施錠部材取付ベースと、
前記シリンダー錠取付ベースの前記施錠側のシリンダー錠取付穴に挿脱可能に取り付けられる施錠側のシリンダー錠と、
前記シリンダー錠取付ベース又は前記施錠部材取付ベースに前記施錠側のシリンダー錠の周囲に係脱可能に配設され、前記施錠側のシリンダー錠の挿脱方向の動きを規制する抜け止め部材と、
前記施錠部材取付ベースの前記動力伝達軸保持部に回転可能に配置され、前記施錠側のシリンダー錠の錠軸と作動連結されて、前記施錠部材装着部に突出される動力伝達軸と、
前記施錠部材取付ベースの前記施錠部材装着部に配置され、前記動力伝達軸に作動連結されて、前記施錠側のシリンダー錠のキー操作により作動される施錠部材と、
前記シリンダー錠取付ベースの前記マスター錠側のシリンダー錠取付穴に前記施錠側のシリンダー錠のマスター錠として取り付け固定されるマスター錠側のシリンダー錠と、
前記マスター錠側のシリンダー錠の錠軸に当該錠軸と一体に回動可能に取り付けられ、前記抜け止め部材に作動連結されて、前記マスター錠側のシリンダー錠をキー操作により施錠又は解錠することにより前記抜け止め部材を前記施錠側のシリンダー錠の周囲に係脱させる抜け止め作動部材と、
を備え、
取付位置に取り付けた前記施錠側のシリンダー錠を、前記マスター錠側のシリンダー錠の施錠操作により固定し、解錠操作により取り外し可能とした、
ことを要旨とする。
また、この錠前装置は各部が次のように具体化される。
（１）前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側一方の半面側から係止可能な駆動側の押えプレートと、一端側が前記駆動側の押えプレートの一端に近接して前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側他方の半面側から係止可能な従動側の押えプレートと、前記駆動側、従動側の各押えプレートの一端間に形成され、前記駆動側の押えプレートが前記施錠側のシリンダー錠の係止溝に係止された状態から離れ、係止状態が解除される方向の前記駆動側の押えプレートの回動に係合して、前記従動側の押えプレートが前記施錠側のシリンダー錠の係止溝に係止された状態から離れ、係止状態が解除される方向に回動可能なカム機構と、前記シリンダー錠取付ベース又は前記施錠部材取付ベースに配設され、前記駆動側、従動側の各押えプレートが前記施錠側のシリンダー錠の外周面の係止溝に係止可能に前記駆動側、従動側の各押えプレートを前記係止溝に向けて押圧付勢するばね部材とを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートを他端に係合させ、前記駆動側の押えプレートと前記施錠側のシリンダー錠の外周面の係止溝との係合を解除するアンロック位置との間で回動可能に構成される。
（２）前記施錠側のシリンダー錠の外周面に周方向に係止溝を有し、
前記抜け止め部材は、一端が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側一方の半面側から係止可能な駆動側の押えプレートと、一端が前記駆動側の押えプレートの一端に近接して前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に当該外周面の片側他方の半面側から係止可能な従動側の押えプレートと、前記駆動側、従動側の各押えプレートの一端間に形成され、前記駆動側の押えプレートが前記施錠側のシリンダー錠の係止溝に係止される方向の前記駆動側の押えプレートの回動に係合して、前記従動側の押えプレートが前記施錠側のシリンダー錠の係止溝に係止される方向に回動し、前記駆動側の押えプレートが前記施錠側のシリンダー錠の係止溝に係止された状態から離れ、係止状態が解除される方向の前記駆動側の押えプレートの回動に係合して、前記従動側の押えプレートが前記施錠側のシリンダー錠の係止溝に係止された状態から離れ、係止状態が解除される方向に回動するギヤ機構とを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートの他端に係合させ、前記駆動側の押えプレートの前記施錠側のシリンダー錠の外周面の係止溝との係止状態を解除するアンロック位置との間で回動可能に構成される。
この場合、前記抜け止め部材は、前記シリンダー錠取付ベース又は前記施錠部材取付ベースに配設され、前記駆動側、従動側の各押えプレートを前記施錠側のシリンダー錠の外周面の係止溝に向けて押圧付勢するばね部材を併せて備えることが望ましい。
（３）前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に係止可能な押えプレートを備え、
前記抜け止め作動部材は、前記マスター錠側のシリンダー錠の錠軸に取り付けられて、前記錠軸の周囲に略Ｌ字形に延び、一端に前記駆動側の押えプレートの他端に対して前記駆動側の押えプレートを前記施錠側のシリンダー錠の外周面の係止溝に係止させる方向に係合し押圧可能なロック部を有し、他端に前記駆動側の押えプレートの他端に対して前記駆動側の押えプレートを前記施錠側のシリンダー錠の外周面の係止溝に係止された状態から解除する方向に係合し押圧可能な押圧部を有し、前記マスター錠側のシリンダー錠のキー操作により、前記ロック部を前記駆動側の押えプレートの他端に係合させ、前記駆動側の押えプレートを前記施錠側のシリンダー錠の外周面の係止溝に係止させるロック位置と、前記押圧部を前記駆動側の押えプレートの他端に係合させ、前記駆動側の押えプレートの前記施錠側のシリンダー錠の外周面の係止溝との係止状態を解除するアンロック位置との間で回動可能に構成される。
（４）前記施錠側のシリンダー錠の外周面に周方向に係止溝を有し、
前記抜け止め部材は、一端側が前記シリンダー錠取付ベースの前記施錠側のシリンダー錠取付穴の周囲で前記マスター錠側のシリンダー錠取付穴とは反対側の所定の位置に軸により枢支されて、前記マスター錠側のシリンダー錠に向けて延び、前記施錠側のシリンダー錠の外周面の係止溝に係止可能な押えプレートと、前記シリンダー錠取付ベース又は前記施錠部材取付ベースに配設され、前記押えプレートが前記施錠側のシリンダー錠の外周面の係止溝に係止された状態から離れ、係止状態が解除される方向に前記押えプレートを押圧付勢するばね部材とを備え、
前記抜け止め作動部材は、前記マスター錠側のシリンダー錠の錠軸に取り付けられて、前記錠軸の周囲に略直線的に延び、先端に前記押えプレートの他端に対して前記押えプレートを前記施錠側のシリンダー錠の外周面の係止溝に係止させる方向に係合し押圧可能なロック部を有し、前記マスター錠側のシリンダー錠のキー操作により、前記ロック部を前記押えプレートの他端に係合させ、前記押えプレートを前記施錠側のシリンダー錠の外周面の係止溝に係止させるロック位置と、前記ロック部を前記押えプレートの他端から離間させ、前記押えプレートと前記施錠側のシリンダー錠の外周面の係止溝との係止状態を解除するアンロック位置との間で回動可能に構成される。
（５）前記施錠側のシリンダー錠の外周面に周方向に係止溝を有し、
前記抜け止め部材は、前記施錠側のシリンダー錠を挿通可能な大きい穴と前記施錠側のシリンダー錠の外周面の係止溝に係止可能な小さい穴を連続形成してなるだるま穴を有し、前記シリンダー錠取付ベース又は前記施錠部材取付ベースでかつ前記施錠側のシリンダー錠取付穴の周囲に組み込み可能に形成されて、前記シリンダー錠取付ベース又は前記施錠部材取付ベースでかつ前記施錠側のシリンダー錠取付穴の周囲に前記施錠側のシリンダー錠取付穴から前記マスター錠側のシリンダー錠取付穴に向けて又はその反対にスライド可能に配置されるスライドプレートと、前記シリンダー錠取付ベース又は前記施錠部材取付ベースと前記スライドプレートとの間に配設され、前記スライドプレートを、前記だるま穴の大きい穴が前記施錠側のシリンダー錠取付穴に対して同芯上に一致して前記施錠側のシリンダー錠取付穴に前記施錠側のシリンダー錠が挿脱可能な位置と、前記だるま穴の小さい穴が前記施錠側のシリンダー錠取付穴に対して同芯上に一致して前記小さい穴の縁部が前記施錠側のシリンダー錠の外周面の係止溝に係止可能な位置との間で、スライド案内するガイド部材と、前記シリンダー錠取付ベース又は前記施錠部材取付ベースに配設され、前記スライドプレートを常態として前記だるま穴の大きい穴が前記施錠側のシリンダー錠取付穴に対して同芯上に一致可能に前記マスター錠側のシリンダー錠に向けて押圧付勢するばね部材とを備え、
前記抜け止め作動部材は、前記マスター錠側のシリンダー錠の錠軸に取り付けられて、前記錠軸の周囲に略直線的に延び、先端に前記スライドプレートに対して前記だるま穴の小さい穴が前記施錠側のシリンダー錠取付穴に対して同芯上に一致する方向に係合して押圧可能なロック部を有し、前記マスター錠側のシリンダー錠のキー操作により、前記ロック部を前記スライドプレートに係合させて、前記スライドプレートをスライドし前記だるま穴の小さい穴を前記施錠側のシリンダー錠の外周面の係止溝に係止させるロック位置と、前記ロック部を前記スライドプレートから離間させて、前記ばね部材の押圧付勢により前記スライドプレートをスライドし前記だるま穴の小さい穴と前記施錠側のシリンダー錠の外周面の係止溝との係止状態を解除し、前記だるま穴の大きい穴を前記施錠側のシリンダー錠に対して同芯上に一致させるアンロック位置との間で回動可能に構成される。
（６）前記施錠側のシリンダー錠の外周面に周方向に係止溝を有し、
前記抜け止め部材は、前記施錠側のシリンダー錠を挿通可能な大きい穴と前記施錠側のシリンダー錠の外周面の係止溝に係止可能な小さい穴を連続形成してなるだるま穴を有し、前記シリンダー錠取付ベース又は前記施錠部材取付ベースでかつ前記施錠側のシリンダー錠取付穴の周囲に組み込み可能に形成されて、前記シリンダー錠取付ベース又は前記施錠部材取付ベースでかつ前記施錠側のシリンダー錠取付穴の周囲に前記施錠側のシリンダー錠取付穴から前記マスター錠側のシリンダー錠取付穴に向けて又はその反対にスライド可能に配置されるスライドプレートと、前記スライドプレートの前記マスター錠側のシリンダー錠取付穴側の端部に形成され、前記スライドプレートを前記だるま穴の小さい穴が前記施錠側のシリンダー錠取付穴に対して同芯上に一致する方向に押圧するための被押圧面、及び前記スライドプレートを前記だるま穴の大きい穴が前記施錠側のシリンダー錠取付穴に対して同芯上に一致する方向に押圧するための被係止押圧面と、前記シリンダー錠取付ベース又は前記施錠部材取付ベースと前記スライドプレートとの間に配設され、前記スライドプレートを、前記だるま穴の大きい穴が前記施錠側のシリンダー錠取付穴に対して同芯上に一致して前記施錠側のシリンダー錠取付穴に前記施錠側のシリンダー錠を挿脱可能な位置と、前記だるま穴の小さい穴が前記施錠側のシリンダー錠取付穴に対して同芯上に一致して前記小さい穴の縁部が前記施錠側のシリンダー錠の外周面の係止溝に係止可能な位置との間で、スライド案内するガイド部材とを備え、
前記抜け止め作動部材は、前記マスター錠側のシリンダー錠の錠軸に取り付けられて、前記錠軸の周囲に略直線的に延び、先端に前記スライドプレートの被押圧面に対して前記だるま穴の小さい穴が前記施錠側のシリンダー錠取付穴に対して同芯上に一致する方向に係合して又は前記スライドプレートの被係止押圧面に対して前記だるま穴の大きい穴が前記施錠側のシリンダー錠取付穴に対して同芯上に一致する方向に係合して押圧可能なロック部を有し、前記マスター錠側のシリンダー錠のキー操作により、前記ロック部を前記スライドプレートの被押圧面に係合させて、前記スライドプレートをスライドし前記だるま穴の小さい穴を前記施錠側のシリンダー錠の外周面の係止溝に係止させるロック位置と、前記ロック部を前記スライドプレートの被係止押圧面に係合させて、前記スライドプレートをスライドし前記だるま穴の小さい穴と前記施錠側のシリンダー錠の外周面の係止溝との係止状態を解除し、前記だるま穴の大きい穴を前記施錠側のシリンダー錠に対して同芯上に一致させるアンロック位置との間で、回動可能に構成される。
【発明の効果】
【０００７】
本発明のマスター錠付き錠前装置によれば、上記の構成により、錠前装置の交換が必要になった場合に、錠前装置の交換作業に関してまったく技能のない者でも、簡単かつ短時間に交換作業を行え、また、マスターキーはあってもなくてもよく、錠前装置が施錠状態であっても錠前装置を交換することができ、しかも交換に要する費用を低く抑えることができる、という本発明固有の格別な効果を奏する。
【図面の簡単な説明】
【０００８】
【図１】本発明の第１の実施の形態におけるマスター錠付き錠前装置の構成を示す正面図
【図２】同錠前装置の内部構成を示す平面断面図
【図３】同錠前装置の内部構成を示す側面断面図
【図４】同錠前装置のシリンダー錠取付ベースの背面側から施錠部材取付ベースを取り外して見た同錠前装置の内部構成を示す図
【図５】（ａ）同錠前装置に採用される施錠側のシリンダー錠及び係止溝付きのリングを示す図（ｂ）同錠前装置に採用される施錠側のシリンダー錠を示す図
【図６】同錠前装置をロッカーの扉の錠前取付位置に取り付けた状態を示す平面断面図
【図７】同錠前装置の使用例及び施錠側のシリンダー錠の交換方法を示す図
【図８】本発明の第２の実施の形態におけるマスター錠付き錠前装置の構成、並びに同錠前装置の使用例及び施錠側のシリンダー錠の交換方法を示す図
【図９】本発明の第３の実施の形態におけるマスター錠付き錠前装置の構成、並びに同錠前装置の使用例及び施錠側のシリンダー錠の交換方法を示す図
【図１０】本発明の第４の実施の形態におけるマスター錠付き錠前装置の構成、並びに同錠前装置の使用例及び施錠側のシリンダー錠の交換方法を示す図
【図１１】本発明の第５の実施の形態におけるマスター錠付き錠前装置の構成を示す正面図
【図１２】同錠前装置の内部構成を示す一部分解平面断面図
【図１３】同錠前装置の内部構成、並びに同錠前装置の使用例及び施錠側のシリンダー錠の交換方法を示す図
【図１４】本発明の第６の実施の形態におけるマスター錠付き錠前装置の内部構成、並びに同錠前装置の使用例及び施錠側のシリンダー錠の交換方法を示す図
【図１５】各実施の形態におけるマスター錠付き錠前装置の変更例を示し、特に、施錠部材にスラムラッチやデッドボルトなど他の掛け金を用いた場合を示す図
【発明を実施するための形態】
【０００９】
次に、この発明を実施するための形態について図を用いて説明する。なお、各実施の形態では、老人ホームや各種の老人福祉施設に設置されるロッカーに適用するマスター錠付き錠前装置を例示している。以下の説明の中で用いられる「扉」はロッカーの扉である。
【００１０】
図１乃至図７に第１の実施の形態を示している。
図１、図２及び図３に示すように、マスター錠付き錠前装置１は、扉の錠前装置取付位置に固定されるシリンダー錠取付ベース１１と、シリンダー錠取付ベース１１に並設される施錠部材取付ベース１２と、シリンダー錠取付ベース１１に取り付けられる施錠側のシリンダー錠１３と、シリンダー錠取付ベース１１又は施錠部材取付ベース１２に配設される抜け止め部材１４と、施錠部材取付ベース１２に取り付けられる動力伝達軸１５と、施錠部材取付ベース１２に取り付けられる施錠部材１６と、シリンダー錠取付ベース１１に取り付けられるマスター錠側のシリンダー錠１７と、マスター錠側のシリンダー錠１７の錠軸１７Ｓに取り付けられる抜け止め作動部材１８（図７参照）とを備える。
【００１１】
シリンダー錠取付ベース１１は、図１及び図２に示すように、施錠側のシリンダー錠取付穴１１１及びマスター錠側のシリンダー錠取付穴１１２を有し、扉の錠前装置取付位置に固定される。施錠部材取付ベース１２は、施錠側のシリンダー錠取付穴１１１に対向配置される略筒状の動力伝達軸保持部１２１、及び動力伝達軸保持部１２１に隣接し各種の施錠部材に対応して形成される施錠部材装着部１２３を有し、シリンダー錠取付ベース１１の背面側に並設される。
この場合、シリンダー錠取付ベース１１は、全体が横長の長方形で背面側を開口された箱形に形成され、正面と、上面、下面及び左右の各側面からなる周面とを備える。このシリンダー錠取付ベース１１の正面には横方向に２つシリンダー錠の取付穴１１１、１１２が設けられる。一方の取付穴１１１は施錠側のシリンダー錠取付穴で、正面に背面の開口に向けて円筒状に形成され、他方の取付穴１１２はマスター錠側のシリンダー錠取付穴で、正面に円形に形成される。また、図４に示すように、この正面の内側面側には、施錠側のシリンダー錠取付穴１１１に近接する所定の位置、この場合、マスター錠側のシリンダー錠取付穴１１２とは反対側の所定の位置２箇所に軸保持部１１３、１１４が形成され、上下の所定の位置に取付ベース間締結用のねじ穴１１５が形成され、四隅に取付ねじ用のねじ穴１１６が形成される。また、このシリンダー錠取付ベース１１の周面は外側面の正面側が外側に向けて張り出されてフランジ１１７が設けられる。
施錠部材取付ベース１２は、図２及び図３に示すように、全体が横長の長方形で正面側を開口された箱形に形成され、背面と、上面、下面及び両側面からなる周面とを備え、全体がシリンダー錠取付ベース１１の背面側に接続可能に構成される。この施錠部材取付ベース１２の背面の内側面にはシリンダー錠取付ベース１１の施錠側のシリンダー錠取付穴１１１に対向して動力伝達軸保持部１２１が有底の円筒状にかつ底部側が背面の外側面から少し突出して形成され、底部の中心に軸挿通穴１２２が穿たれる。また、このような動力伝達軸保持部１２１に隣接して、各種の施錠部材に対応して施錠部材装着部１２３が形成され、この錠前装置１の場合、後述するように、施錠部材１６にカムが採用されるので、この動力伝達軸保持部１２１の底面の外側面が施錠部材装着部１２３としてカムの取付面になっている。また、この背面の内側面には、シリンダー錠取付ベース１１の軸保持部１１３、１１４、ねじ穴１１６に対向して、軸保持部（図示省略）、ねじ挿通穴（図示省略）がそれぞれ形成される。なお、この施錠部材取付ベース１２の四隅は取付ねじ用のねじ穴１１６に干渉しないように角が落とされ、断面略Ｌ形に凹んだ形状になっている。
シリンダー錠取付ベース１１、施錠部材取付ベース１２はこのように形成され、シリンダー錠取付ベース１１のマスター錠側のシリンダー錠取付穴１１２にマスター錠側のシリンダー錠１７が取り付けられ、施錠部材取付ベース１２の動力伝達軸保持部１２１に動力伝達軸１５が取り付けられた後、シリンダー錠取付ベース１１の背面側に施錠部材取付ベース１２が組み合せられ、施錠部材取付ベース１２の各ねじ挿通穴から取付ベース間締結用のねじ１９が通されシリンダー錠取付ベース１１の各ねじ穴１１５に締結されて固定され、全体として横に長く、正面側の周囲にフランジ１１７を有する略直方体形のケースに組み立てられる。
【００１２】
施錠側のシリンダー錠１３は標準品で、この場合、図２に示すように、一般にロッカー錠として使用されるカムロックが採用される。また、この錠前装置１では、施錠側のシリンダー錠１３が外周面に周方向に係止溝を備えて用いられるので、この場合、図５（ａ）に示すように、ロータケース（外筒）の外周面に係止溝１３１付きのリング１３０が装着される。リング１３０は、外周面の先端側所定の位置に係止溝１３１が全周に亘って形成され、また、標準品のシリンダー錠１３はロータケースの外周面にねじが切られているので、リング１３０の内周面にはロータケースの外周面に螺合可能にねじが形成される。このようにしてリング１３０は標準品のシリンダー錠１３の外周面にねじ締結により装着されて、このシリンダー錠１３の外周面の先端側所定の位置に係止溝１３１が設けられる。
この施錠側のシリンダー錠１３は、図２に示すように、シリンダー錠取付ベース１１の施錠側のシリンダー錠取付穴１１１に挿脱可能に取り付けられる。
【００１３】
抜け止め部材１４は、図４に示すように、施錠側のシリンダー錠１３の周囲に係脱可能な形状を有し、シリンダー錠取付ベース１１又は施錠部材取付ベース１２に施錠側のシリンダー錠１３の周囲に係脱可能に配設されて、施錠側のシリンダー錠１３の挿脱方向の動きを規制する構造になっている。
この場合、抜け止め部材１４は、一対の押えプレート１４１、１４５からなる。
一方の押えプレート１４１は駆動側の押えプレートで、全体が略円弧状に形成され、一端側がシリンダー錠取付ベース１１の施錠側のシリンダー錠取付穴１１１の周囲でマスター錠側のシリンダー錠取付穴１１２とは反対側の所定の位置、この場合、既述の軸保持部１１３にピン軸１４２が挿着されこのピン軸１４２により枢支されて、マスター錠側のシリンダー錠１７に向けて略円弧状に延び、施錠側のシリンダー錠１３の外周面の係止溝１３１（図３参照）にその外周面の片側一方（この場合、上側）の半面側から係止可能になっている。
他方の押えプレート１４５は従動側の押えプレートで、全体が略円弧状に形成され、一端が駆動側の押えプレート１４１の一端に近接して施錠側のシリンダー錠取付ベース１１の施錠側のシリンダー錠取付穴１１１の周囲でマスター錠側のシリンダー錠取付穴１１２とは反対側の所定の位置、この場合、既述の軸保持部１１４にピン軸１４６が挿着されこのピン軸１４６により枢支されて、マスター錠側のシリンダー錠１７に向けて延び、施錠側のシリンダー錠１３の外周面の係止溝１３１（図３参照）にその外周面の片側他方（この場合、下側）の半面側から係止可能になっている。
これら駆動側、従動側の各押えプレート１４１、１４５の一端間にはカム機構１４Ｃを有し、駆動側の押えプレート１４１が施錠側のシリンダー錠１３の係止溝１３１に係止された状態から離れ、係止状態が解除される方向に回動されると、この押えプレート１４１の回動に係合して、従動側の押えプレート１４５が施錠側のシリンダー錠１３の係止溝１３１に係止された状態から離れ、係止状態が解除される方向に回動可能に構成されている。
この場合、駆動側の押えプレート１４１の一端がカム形状１４３をなす。このカム形状１４３は、この押えプレート１４１の一端がピン軸１４２により枢支される枢支点から略円弧状に延びて略カマ形状に形成されてなり、このカマ形状の先端が下方に向けられてピン軸１４２の回りに回動可能になっている。また、従動側の押えプレート１４５の一端が駆動側の押えプレート１４１のカム形状１４３に係合可能なカム形状１４７をなす。このカム形状１４７は、この押えプレート１４５の一端で駆動側の押えプレート１４１の略カマ形状に対向する縁部がカマ形状の先端が当接可能な平坦形状とカマ形状により押圧可能な凸形状とからなり、カマ形状の先端の軸回りの回動（駆動側の押えプレート１４１が施錠側のシリンダー錠１３から離れる方向の回動）とともにカマ形状の先端で凸形状が押圧されて従動側の押えプレート１４５全体が下方に押し下げられるようになっている。
また、これら駆動側、従動側の各押えプレート１４１、１４５の他端は相互に衝接可能に形成されている。この場合、駆動側の押えプレート１４１の他端にはこの他端からマスター錠側のシリンダー錠１７に向けて延びる延長部１４４が形成され、この延長部１４４の施錠部材取付ベース１２側に向けられる一方の側面に直角に水平方向に延びる押え込み部１４４Ｓが形成される。
そして、これら駆動側、従動側の各押えプレート１４１、１４５はそれぞれ、常態として施錠側のシリンダー錠１３の外周面の係止溝１３１に係止可能に、駆動側、従動側の各押えプレート１４１、１４５を係止溝１３１に向けて押圧付勢するばね部材１４８がシリンダー錠取付ベース１１又は施錠部材取付ベース１２に配設される。
この場合、シリンダー錠取付ベース１１の内側面で施錠側のシリンダー錠取付穴１１１の上部及び下部にそれぞれ溝１１８，１１８が形成され、また、これらの溝１１８，１１８に対向して、施錠部材取付ベース１２の内側面で動力伝達軸保持部１２１の上部及び下部にそれぞれ溝１２８（図３参照）が形成されて、これら取付ベース１１、１２間の溝１１８、１２８間にばね部材１４８の保持部が形成され、これらの保持部にばね部材１４８が装着される。このばね部材１４８にはコイルスプリングが採用され、これらの保持部内にそれぞれコイルスプリング１４８が圧縮された状態に配置されて、駆動側、従動側の各押えプレート１４１、１４５を施錠側のシリンダー錠１３の係止溝１３１に向けて押圧付勢するようになっている。
【００１４】
動力伝達軸１５は、図２及び図３に示すように、施錠側のシリンダー錠１３のキー操作による錠軸１３Ｓの回転を施錠部材１６に伝達する動力伝達部品で、施錠部材取付ベース１２の動力伝達軸保持部１２１に回転可能に配置され、施錠側のシリンダー錠１３の錠軸１３Ｓと作動連結されて、その先端が施錠部材装着部１２３側に突出される。
この場合、動力伝達軸１５は、動力伝達軸保持部１２１の軸挿通穴１２２に挿通可能に円筒状に形成され、基端面から軸芯上に施錠側のシリンダー錠１３の錠軸１３Ｓが嵌合可能な溝１５０を有する大径の軸本体１５１と、軸本体１５１の基端側の開口周囲に外側に突出して動力伝達軸保持部１２１の底部に係止可能なフランジ１５２と、軸本体１５１の先端に突出され、施錠側のシリンダー錠１３の錠軸１３Ｓと略同じ大きさ、形状を有する錠軸１５３とからなる。このような動力伝達軸１５が動力伝達軸保持部１２１内に保持され、底部の軸挿通穴１２２を通じて錠軸１５３が施錠部材装着部１２３に突出される。
【００１５】
施錠部材１６は標準品で、図２及び図３に示すように、施錠部材取付ベース１２の施錠部材装着部１２３に配置され、動力伝達軸１５に作動連結されて、施錠側のシリンダー錠１３のキー操作により作動される。
この場合、施錠部材１６は、標準品のカムが採用される。この施錠部材１６は、施錠部材取付ベース１２の動力伝達軸保持部１２１から施錠部材装着部１２３に突出される動力伝達軸１５の錠軸１５３にワッシャー、ナットを介して回動可能に取り付けられる。
【００１６】
マスター錠側のシリンダー錠１７は、図１及び図２に示すように、施錠側のシリンダー錠１３のマスター錠として使用され、シリンダー錠取付ベース１１のマスター錠側のシリンダー錠取付穴１１２に取り付け固定される。
この場合、マスター錠側のシリンダー錠１７は標準品で、施錠側のシリンダー錠１３と視覚的に識別可能に大きさ、形状、色彩などを含むデザインの異なるものが採用される。
このマスター錠側のシリンダー錠１７はシリンダー錠取付ベース１１のマスター錠側のシリンダー錠取付穴１１２に挿着され、シリンダー錠取付ベース１１の内側からこのシリンダー錠１７の外周面（のねじ）にナット１７０が締め込まれて固定される。
【００１７】
抜け止め作動部材１８は、図４に示すように、抜け止め部材１４を施錠側のシリンダー錠１３の周囲に係脱させる方向に駆動する部品で、マスター錠側のシリンダー錠１７の錠軸１７Ｓにこの錠軸１７Ｓと一体に回動可能に取り付けられ、抜け止め部材１４に作動連結されて、マスター錠側のシリンダー錠１７をキー操作により施錠又は解錠することにより抜け止め部材１４を施錠側のシリンダー錠１３の周囲に係脱させるようになっている。
この場合、抜け止め作動部材１８は、図７に示すように、マスター錠側のシリンダー錠１７の錠軸１７Ｓに取り付けられて、錠軸１７Ｓの周囲に略Ｌ字形に延び、一端に駆動側の押えプレート１４１の他端に対して駆動側の押えプレート１４１を施錠側のシリンダー錠１３の外周面の係止溝１３１に係止させる方向に係合し押圧可能なロック部１８１を有し、他端に駆動側の押えプレート１４１の他端に対して駆動側の押えプレート１４１を施錠側のシリンダー錠１３の外周面の係止溝１３１に係止された状態から解除する方向に係合し押圧可能な押圧部１８２を有する。この抜け止め作動部材１８の形状をより具体的に言えば、抜け止め作動部材１８の一端側は錠軸１７Ｓから略Ｊ字形に延び、先端（一端）が抜け止め部材１４の駆動側の押えプレート１４１の押え込み部１４４Ｓに衝接し押え込み可能に曲線的に形成され、他端側は錠軸１７Ｓから略Ｔ字形に延び、先端（他端）が抜け止め部材１４の駆動側の押えプレート１４１の押え込み部１４４Ｓに反対側から衝接し押圧可能にハンマー状に形成される。このようして抜け止め作動部材１８は、マスター錠側のシリンダー錠１７のキー操作により、ロック部１８１を駆動側の押えプレート１４１の他端の押え込み部１４４Ｓに係合させて、駆動側の押えプレート１４１を施錠側のシリンダー錠１３の外周面の係止溝１３１に係止させるロック位置と、押圧部１８２を駆動側の押えプレート１４１の他端の押え込み部１４４Ｓに係合させて、駆動側の押えプレート１４１と施錠側のシリンダー錠１３の外周面の係止溝１３１との係合を解除するアンロック位置との間で回動可能に構成される。
【００１８】
マスター錠付き錠前装置１はこのような構成を備え、扉の錠前装置取付位置に取り付けた施錠側のシリンダー錠１３を、マスター錠側のシリンダー錠１７の施錠操作により固定し、また、解錠操作により取り外し可能になっている。
【００１９】
図６及び図７にこの錠前装置１の使用例とともに施錠側シリンダー錠１３の交換方法を例示している。
図６に示すように、この錠前装置１の通常の使用では、ケース状に組み立てられたシリンダー錠取付ベース１１及び施錠部材取付ベース１２が扉の錠前装置取付位置に形成された開口内に嵌め込まれて、シリンダー錠取付ベース１１の外周のフランジ１１７が開口の正面側縁部に係止された状態で、扉の背面側から開口四隅のねじ挿通穴を通して取付ねじが通され、シリンダー錠取付ベース１１の四隅の各ねじ穴に締結されて、シリンダー錠取付ベース１１及び施錠部材取付ベース１２が扉の錠前装置取付位置に固定される。この場合、この錠前装置１内では、シリンダー錠取付ベース１１の施錠側のシリンダー錠取付穴１１１に施錠側のシリンダー錠１３が取り付けられて、このシリンダー錠１３の錠軸１３Ｓが動力伝達軸保持部１２１の動力伝達軸１５の溝１５０に挿入されて作動連結され、この施錠側のシリンダー錠１３は動力伝達軸１５を介して施錠部材１６に作動連結される。この状態の施錠側のシリンダー錠１３は外周面の係止溝１３１にコイルスプリング１４８により押圧付勢された一対の押さプレート１４１、１４５からなる抜け止め部材１４が係止されて、施錠側のシリンダー錠取付穴１１１に挿脱方向の動きを規制されて固定される。そして、この状態は、シリンダー錠取付ベース１１のマスター錠側のシリンダー錠取付穴１１２に取り付け固定されたマスター錠側のシリンダー錠１７のキー操作により、ロータ（内筒）がロック位置に回動されて、錠軸１７Ｓの回動により抜け止め作動部材１８がロック位置に回動され（図７（ａ）参照）、この抜け止め作動部材１８のロック部１８１により抜け止め部材１４の駆動側の押えプレート１４１の回動側端部の押え込み部１４４Ｓが押え込まれて、この抜け止め作動部材１８により施錠側のシリンダー錠１３は完全に固定される。
この錠前装置１により扉を施錠する場合は、扉を閉じた状態から、施錠側のシリンダー錠１３のキー操作により、ロータ（内筒）をロック位置に回動して錠軸１３Ｓを駆動すると、この錠軸１３Ｓに取り付けられた施錠部材１６、この場合、カムが施錠位置まで回動されて、扉がロックされる。また、扉を解錠する場合は、施錠側のシリンダー錠１３のキー操作により、ロータ（内筒）をアンロック位置に向けて回動して錠軸１３Ｓを駆動すると、この錠軸１３Ｓに取り付けられた施錠部材１６、この場合、カムが解錠位置まで回動されて、扉がロックを解除され、開閉可能となる。
そして、この施錠装置１の使用中に、施錠側のシリンダー錠１３の破損やキーの紛失等、又はユーザーの変更による防犯上の理由若しくはユーザーの要求があり、施錠側のシリンダー錠１３の交換が必要となった場合は、マスター錠側のシリンダー錠１７のキー操作により施錠側のシリンダー錠１３の固定を外して取り外し、新旧のシリンダー錠１３を取り換えればよい。
この場合、シリンダー錠取付ベース１１に取り付け固定されたマスター錠側のシリンダー錠１７のキー操作によりこのシリンダー錠１７のロータ（内筒）をアンロック位置に回動して錠軸１７Ｓを駆動すると、図７（ｂ）に示すように、この錠軸１７Ｓに取り付けられた抜け止め作動部材１８がアンロック位置に回動され、この抜け止め作動部材１８の押圧部１８２により抜け止め部材１４の駆動側の押えプレート１４１の回動側端部の押え込み部１４４Ｓが押圧されて抜け止め部材１４が作動され、施錠側のシリンダー錠１３の抜け止め部材１４による固定が解除される。すなわち、抜け止め作動部材１８の押圧部１８２により抜け止め部材１４の駆動側の押えプレート１４１の回動側端部の押え込み部１４４Ｓが押圧されると、施錠側のシリンダー錠１３の外周面の係止溝１３１に係止された抜け止め部材１４の駆動側の押えプレート１４１が、コイルスプリング１４８の押圧付勢力に抗して、一端側のピン軸１４２を回動支点としてシリンダー錠１３の係止溝１３１から離れ、解除される方向に回動され、同時にこの押えプレート１４１の一端のカム形状１４３、すなわち、カマ形状の先端がピン軸１４２の回りを回動して従動側の押えプレート１４５の一端のカム形状１４７、すなわち、平坦形状から凸形状に変位してこれを押圧し、従動側の押えプレート１４５を、コイルスプリング１４８の押圧付勢力に抗して、一端側のピン軸１４６を回動支点としてシリンダー錠の１３係止溝１３１から離れ、解除する方向に回動し、抜け止め部材１４と施錠側のシリンダー錠１３の係止溝１３１との係止状態が解除される。これにより、施錠側のシリンダー錠１３は施錠側のシリンダー錠取付穴１１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴１１１内から取り外す。そして、新たな施錠側のシリンダー錠１３を先端の錠軸１３Ｓから施錠側のシリンダー錠取付穴１１１に挿入し、錠軸１３Ｓを動力伝達軸１５に差し込んで取り付け、施錠部材１６と作動連結する。この後は、シリンダー錠取付ベース１１のマスター錠側のシリンダー錠１７のキー操作により、ロータ（内筒）をロック位置方向に回動して、抜け止め部材１４の駆動側の押えプレート１４１の押え込み部１４４Ｓへの押圧を解除すると、図７（ａ）に示すように、抜け止め部材１４の駆動側の押えプレート１４１及び従動側押えプレート１４５がそれぞれコイルスプリング１４８の押圧付勢力により弾性復帰して新たな施錠側のシリンダー錠１３の係止溝１３１に係止され、ロータ（内筒）をロック位置まで回動し、抜け止め作動部材１８をロック位置に回動すると、この抜け止め作動部材１８のロック部１８１により抜け止め部材１４の駆動側の押えプレート１４１の押え込み部１４４Ｓが押え込まれ、この抜け止め作動部材１８により新たな施錠側のシリンダー錠１３が完全に固定される。
【００２０】
以上説明したように、このマスター錠付き錠前装置１によれば、扉の錠前装置取付位置にシリンダー錠取付ベース１１により施錠側のシリンダー錠１３を挿脱可能に取り付けるとともにマスター錠側のシリンダー錠１７を取り付け固定し、施錠側のシリンダー錠１３をマスター錠側のシリンダー錠１７のキー操作により回動される抜け止め作動部材１８を介して作動される抜け止め部材１４により係脱可能に固定して、施錠側のシリンダー錠１３を、マスター錠側のシリンダー錠１７の施錠操作により固定し、解錠操作により取り外し可能としたので、錠前装置（施錠側のシリンダー錠１３）の交換が必要になった場合に、錠前装置（施錠側のシリンダー錠１３）の交換作業をこの作業に関してまったく技能のない者でも、簡単かつ短時間に行え、また、施錠側のシリンダー錠１３についてマスターキーはあってもなくてもよく、施錠側のシリンダー錠１３が施錠状態であってもこのシリンダー錠１３を交換することができ、しかも交換に要する費用を低く抑えることができる。
また、この錠前装置１では、施錠部材取付ベース１２に動力伝達軸１５を設けて、施錠側のシリンダー錠１３をシリンダー錠取付ベース１１に挿着することよりこのシリンダー錠１３の錠軸１３Ｓを動力伝達軸１５に作動連結し、このシリンダー錠１３を動力伝達軸１５を介して施錠部材１６に作動連結するようにしたので、施錠側のシリンダー錠１３をシリンダー錠取付ベース１１に挿着するだけで、施錠側のシリンダー錠１３の錠軸１３Ｓと施錠部材１６とを作動連結することができ、施錠側のシリンダー錠１３をシリンダー錠取付ベース１１から引き抜くだけで施錠側のシリンダー錠１３の錠軸１３Ｓと施錠部材１６とを切り離すことができる。
さらに、この錠前装置１では、
（１）施錠側のシリンダー錠１３の外周面に係止溝付きのリング１３０を装着して周方向に係止溝１３１を設け、
（２）抜け止め部材１４を、一端側がシリンダー錠取付ベース１１の施錠側のシリンダー錠取付穴１１１の周囲でかつマスター錠側のシリンダー錠取付穴１１２とは反対側の所定の位置にピン軸１４２により枢支されて、マスター錠側のシリンダー錠１７に向けて延び、施錠側のシリンダー錠１３の外周面の係止溝１３１に外周面の片側一方の半面側から係止可能な駆動側の押えプレート１４１と、一端側が駆動側の押えプレート１４１の一端に近接してシリンダー錠取付ベース１１の施錠側のシリンダー錠取付穴１１１の周囲でかつマスター錠側のシリンダー錠取付穴１１２とは反対側の所定の位置にピン軸１４６により枢支されて、マスター錠側のシリンダー錠１７に向けて延び、施錠側のシリンダー錠１３の外周面の係止溝１３１に外周面の片側他方の半面側から係止可能な従動側の押えプレート１４５と、駆動側、従動側の各押えプレート１４１、１４５の一端間に形成され、駆動側の押えプレート１４１が施錠側のシリンダー錠１３の係止溝１３１に係止された状態から離れ、係止状態が解除される方向の駆動側の押えプレート１４１の回動に係合して、従動側の押えプレート１４５が施錠側のシリンダー錠１３の係止溝１３１に係止された状態から離れ、係止状態が解除される方向に回動可能なカム形状１４３、１４７からなるカム機構１４Ｃと、シリンダー錠取付ベース１１又は施錠部材取付ベース１２に配設され、駆動側、従動側の各押えプレート１４１、１４５が施錠側のシリンダー錠１３の外周面の係止溝１３１に係止可能に駆動側、従動側の各押えプレート１４１、１４５を係止溝１３１に向けて押圧付勢するばね部材１４８（コイルスプリング）とにより構成し、
（３）抜け止め作動部材１８を、マスター錠側のシリンダー錠１７の錠軸１７Ｓに取り付けられて、錠軸１７Ｓの周囲に略Ｌ字形に延び、一端に駆動側の押えプレート１４１の他端に対して駆動側の押えプレート１４１を施錠側のシリンダー錠１３の外周面の係止溝１３１に係止させる方向に係合し押圧可能なロック部１８１を有し、他端に駆動側の押えプレート１４１の他端に対して駆動側の押えプレート１４１を施錠側のシリンダー錠１３の外周面の係止溝１３１に係止された状態から解除する方向に係合し押圧可能な押圧部１８２を有し、マスター錠側のシリンダー錠１７のキー操作により、ロック部１８１を駆動側の押えプレート１４１の他端に係合させ、駆動側の押えプレート１４１を施錠側のシリンダー錠１３の外周面の係止溝１３１に係止させるロック位置と、押圧部１８２を駆動側の押えプレート１４１を他端に係合させ、駆動側の押えプレート１４１と施錠側のシリンダー錠１３の外周面の係止溝１３１との係合を解除するアンロック位置との間で回動可能に構成したので、
施錠側のシリンダー錠１３に標準品を採用し、抜け止め部材１４及び抜け止め作動部材１８を簡単な構造により構成して、コストを低く抑えることができ、この簡単な部品構成で、施錠側のシリンダー錠１３をシリンダー錠取付ベース１１に確実に固定し、また、簡単に取り外すことができる。
【００２１】
図８に第２の実施の形態を示している。なお、この実施の形態では、抜け止め部材の構成のみが第１の実施の形態と異なるので、抜け止め部材についてのみ説明し、第１の実施の形態と共通の部材には同じ符号を付して、その重複した説明を省略する。
【００２２】
図８に示すように、この錠前装置２では、抜け止め部材２４は、一対の押えプレート２４１、２４５からなる。
一方の押えプレート２４１は駆動側の押えプレートで、全体が略円弧状に形成され、一端がシリンダー錠取付ベース１１の施錠側のシリンダー錠取付穴１１１の周囲でかつマスター錠側のシリンダー錠取付穴１１２とは反対側の所定の位置、この場合、既述の軸保持部にピン軸１４２が挿着されこのピン軸１４２により枢支されて、マスター錠側のシリンダー錠１７に向けて略円弧状に延び、施錠側のシリンダー錠１３の外周面の係止溝１３１にその外周面の片側一方（この場合、上側）の半面側から係止可能になっている。
他方の押えプレート２４５は従動側の押えプレートで、全体が略円弧状に形成され、一端が駆動側の押えプレート２４１の一端に近接してシリンダー錠取付ベース１１の施錠側のシリンダー錠取付穴１１１の周囲でかつマスター錠側のシリンダー錠取付穴１１２とは反対側の所定の位置、この場合、既述の軸保持部にピン軸１４６が挿着されこのピン軸１４６により枢支されて、マスター錠側のシリンダー錠１７に向けて延び、施錠側のシリンダー錠１３の外周面の係止溝１３１にその外周面の片側他方（この場合、下側）の半面側から係止可能になっている。
これら駆動側、従動側の各押えプレート２４１、２４５の一端間にはギヤ機構２４Ｇを有し、駆動側の押えプレート２４１が施錠側のシリンダー錠１３の係止溝１３１に係止された状態から離れ、係止状態が解除される方向に回動されると、この押えプレート２４１の回動に係合して、従動側の押えプレート２４５が施錠側のシリンダー錠１３の係止溝１３１に係止された状態から離れ、係止状態が解除される方向に回動可能に構成される。
この場合、駆動側の押えプレート２４１の一端がギヤ形状２４３をなす。このギヤ形状２４３は、この押えプレート２４１の一端の内側縁部にスパーギヤの一部が形成されてなり、このスパーギヤの一部が下方に向けられてピン軸１４２の回りに回動可能になっている。また、従動側の押えプレート２４５の一端が駆動側の押えプレート２４１のギヤ形状２４３に噛合可能なギヤ形状２４７をなす。このギヤ形状２４７は、この押えプレート２４５の一端の駆動側の押えプレート２４１のスパーギヤの一部に対向する内側縁部に駆動側の押えプレート２４１のスパーギヤの一部が噛合可能なスパーギヤが形成されてなり、駆動側の押えプレート２４１のスパーギヤの一部の軸回りの回動（駆動側の押えプレート２４１が施錠側のシリンダー錠１３から離れる方向の回動）とともに従動側の押えプレート２４５のスパーギヤが回動されて従動側の押えプレート２４５全体が下方に押し下げられるようになっている。
また、これら駆動側、従動側の各押えプレート２４１、２４５の他端は相互に衝接可能に形成されている。この場合、駆動側の押えプレート２４１の他端にはこの他端からマスター錠側のシリンダー錠１７に向けて延びる延長部２４４が形成され、この延長部２４４の施錠部材取付ベース１２側に向けられる一方の側面に直角に水平方向に延びる押え込み部２４４Ｓが形成される。
なお、この抜け止め部材２４についても、がたつきを防止するため、第１の実施の形態と同様に、駆動側、従動側の各押えプレート２４１、２４５を施錠側のシリンダー錠１３の係止溝１３１に向けて押圧付勢するばね部材（コイルスプリング）がシリンダー錠取付ベース１１又は施錠部材取付ベース１２に配設されてもよい。
このようにすると、図８（ａ）に示すように、シリンダー錠取付ベース１１の施錠側のシリンダー錠取付穴１１１に取り付けられた施錠側のシリンダー錠１３は外周面の係止溝１３１が一対の押さプレート２４１、２４５からなる抜け止め部材２４により係止されて、施錠側のシリンダー錠取付穴１１１に挿脱方向の動きを規制されて固定される。そして、この状態が、シリンダー錠取付ベース１１のマスター錠側のシリンダー錠取付穴１１２に取り付け固定されたマスター錠側のシリンダー錠１７のキー操作により、ロータ（内筒）がロック位置に回動されて、錠軸１７Ｓの回動により抜け止め作動部材１８がロック位置に回動され、この抜け止め作動部材１８のロック部１８１により抜け止め部材２４の駆動側の押えプレート２４１の回動側端部の押え込み部２４４Ｓが押え込まれて、この抜け止め部材作動１８により施錠側のシリンダー錠１３は完全に固定される。
そして、この錠前装置２の使用中に、施錠側のシリンダー錠１３の破損やキーの紛失等、又はユーザーの変更による防犯上の理由若しくはユーザーの要求があり、施錠側のシリンダー錠１３の交換が必要となった場合は、マスター錠側のシリンダー錠１７のキー操作により施錠側のシリンダー錠１３の固定を外して取り外し、新旧のシリンダー錠１３を取り換えればよい。
この場合、図８（ｂ）に示すように、シリンダー錠取付ベース１１に取り付け固定されたマスター錠側のシリンダー錠１７のキー操作によりこのシリンダー錠１７のロータ（内筒）をアンロック位置に回動して錠軸１７Ｓを駆動すると、この錠軸１７Ｓに取り付けられた抜け止め作動部材１８がアンロック位置に回動され、この抜け止め作動部材１８の押圧部１８２により抜け止め部材２４の駆動側の押えプレート２４１の回動側端部の押え込み部２４４Ｓが押圧されて抜け止め部材２４が作動され、施錠側のシリンダー錠１３の抜け止め部材２４による固定が解除される。すなわち、抜け止め作動部材１８の押圧部１８２により抜け止め部材２４の駆動側の押えプレート２４１の回動側端部の押え込み部２４４Ｓが押圧されると、施錠側のシリンダー錠１３の外周面の係止溝１３１に係止された抜け止め部材２４の駆動側の押えプレート２４１が一端側のピン軸１４２を回動支点としてこのシリンダー錠１３の係止溝１３１から離れ、解除される方向に回動されると同時に、この押えプレート２４１の一端のギヤ形状２４３（スパーギヤの一部）がピン軸１４２の回りを回動して、これに噛合する従動側の押えプレート２４５の一端のギヤ形状２４７（スパーギヤの一部）が駆動側の押えプレート２４１とは反対方向に回動されて、従動側の押えプレート２４５が一端側のピン軸１４６を回動支点としてこのシリンダー錠１３の係止溝１３１から離れ、解除される方向に回動され、抜け止め部材２４と施錠側のシリンダー錠１３の係止溝１３１との係止状態が解除される。これにより、施錠側のシリンダー錠１３は施錠側のシリンダー錠取付穴１１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴１１１内から取り外す。そして、新たな施錠側のシリンダー錠１３を先端の錠軸１３Ｓから施錠側のシリンダー錠取付穴１１１に挿入し、錠軸１３Ｓを動力伝達軸１５に差し込んで取り付け、施錠部材１６と作動連結する。この後は、シリンダー錠取付ベース１１のマスター錠側のシリンダー錠１７のキー操作により、ロータ（内筒）をロック位置方向に回動すると、図８（ａ）に示すように、抜け止め作動部材１８による駆動側の押えプレート２４１の押え込み部２４４Ｓへの押圧が解除されるとともに、抜け止め作動部材１８のロック部１８１により、駆動側の押えプレート２４１の押え込み部２４４Ｓが新たな施錠側のシリンダー錠１３の係止溝１３１に向けて押圧回動され、この押えプレート２４１の回動によりギヤ機構２４Ｇを介して従動側押えプレート２４５が新たな施錠側のシリンダー錠１３の係止溝１３１に向けて回動されて、それぞれ新たな施錠側のシリンダー錠１３の係止溝１３１に係止され、ロータ（内筒）をロック位置まで回動し、抜け止め作動部材１８をロック位置に回動すると、この抜け止め作動部材１８のロック部１８１により抜け止め部材２４の駆動側の押えプレート２４１の押え込み部２４４Ｓが押え込まれて、この抜け止め作動部材１８により施錠側のシリンダー錠１３が完全に固定される。
抜け止め部材２４についてこのようにしても第１の実施の形態と同様の作用効果を得ることができる。
【００２３】
図９に第３の実施の形態を示している。なお、この実施の形態では、抜け止め部材の構成のみが第１の実施の形態と異なるので、抜け止め部材についてのみ説明し、第１の実施の形態と共通の部材には同じ符号を付して、その重複した説明を省略する。
【００２４】
図９に示すように、この錠前装置３では、抜け止め部材３４は、一つの押えプレート３４１からなる。
この押えプレート３４１は、全体が略円弧状に形成され、一端がシリンダ錠取付ベース１１の施錠側のシリンダー錠取付穴１１１の周囲でかつマスター錠側のシリンダー錠取付穴１１２とは反対側の所定の位置、この場合、既述の軸保持部にピン軸１４２が挿着されこのピン軸１４２により枢支されて、マスター錠側のシリンダー錠１７に向けて略円弧状に延び、施錠側のシリンダー錠１３の外周面の係止溝１３１にその外周面の片側一方（この場合、上側）の半面側から係止可能になっている。
また、この押えプレート３４１の他端にはこの他端からマスター錠側のシリンダー錠１７に向けて延びる延長部３４４が形成され、この延長部３４４の施錠部材取付ベース１２側に向けられる一方の側面に直角に水平方向に延びる押え込み部３４４Ｓが形成される。
このようにすると、図９（ａ）に示すように、シリンダー錠取付ベース１１の施錠側のシリンダー錠取付穴１１１に取り付けられた施錠側のシリンダー錠１３は外周面の係止溝１３１に抜け止め部材３４の押さプレート３４１が係止されて、施錠側のシリンダー錠取付穴１１１に挿脱方向の動きを規制されて固定される。そして、この状態が、シリンダー錠取付ベース１１のマスター錠側のシリンダー錠取付穴１１２に取り付け固定されたマスター錠側のシリンダー錠１７のキー操作により、ロータ（内筒）がロック位置に回動されて、錠軸１７Ｓの回動により抜け止め作動部材１８がロック位置に回動され、この抜け止め作動部材１８のロック部１８１により押えプレート３４１の回動側端部の押え込み部３４４Ｓが押え込まれて、この抜け止め部材作動１８により施錠側のシリンダー錠１３は完全に固定される。
そして、この錠前装置３の使用中に、施錠側のシリンダー錠１３の破損やキーの紛失等、又はユーザーの変更による防犯上の理由若しくはユーザーの要求があり、施錠側のシリンダー錠１３の交換が必要となった場合は、マスター錠側のシリンダー錠１７のキー操作により施錠側のシリンダー錠１３の固定を外して取り外し、新旧のシリンダー錠１３を取り換えればよい。
この場合、図９（ｂ）に示すように、シリンダー錠取付ベース１１に取り付け固定されたマスター錠側のシリンダー錠１７のキー操作によりこのシリンダー錠１７のロータ（内筒）をアンロック位置に回動し錠軸１７Ｓを駆動すると、この錠軸１７Ｓに取り付けられた抜け止め作動部材１８がアンロック位置に回動され、この抜け止め作動部材１８の押圧部１８２により抜け止め部材３４の押えプレート３４１の回動側端部の押え込み部３４４Ｓが押圧されて抜け止め部材３４の押えプレート３４１が作動され、施錠側のシリンダー錠１３の押えプレート３４１による固定が解除される。すなわち、抜け止め作動部材１８の押圧部１８２により押えプレート３４１の回動側端部の押え込み部３４４Ｓが押圧されると、施錠側のシリンダー錠１３の外周面の係止溝１３１に係止された押えプレート３４１が一端側のピン軸１４２を回動支点としてこのシリンダー錠１３の係止溝１３１から離れ、解除される方向に回動され、抜け止め部材３４と施錠側のシリンダー錠１３の係止溝１３１との係止状態が解除される。これにより、施錠側のシリンダー錠１３は施錠側のシリンダー錠取付穴１１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴１１１内から取り外す。そして、新たな施錠側のシリンダー錠１３を先端の錠軸１３Ｓから施錠側のシリンダー錠取付穴１１１に挿入し、錠軸１３Ｓを動力伝達軸１５に差し込んで取り付け、施錠部材１６と作動連結する。この後は、シリンダー錠取付ベース１１のマスター錠側のシリンダー錠１７のキー操作により、ロータ（内筒）をロック位置方向に回動すると、図９（ａ）に示すように、抜け止め作動部材１８による押えプレート３４１の押え込み部３４４Ｓへの押圧が解除されるとともに、抜け止め作動部材１８のロック部１８１により、押えプレート３４１の押え込み部３４４Ｓが新たな施錠側のシリンダー錠１３の係止溝１３１に向けて押圧回動されて、押えプレート３４１がこの施錠側のシリンダー錠１３の係止溝１３１に係止され、ロータ（内筒）をロック位置まで回動し、抜け止め作動部材１８をロック位置に回動すると、この抜け止め作動部材１８のロック部１８１により押えプレート３４１の押え込み部３４４Ｓが押え込まれて、この抜け止め作動部材１８により施錠側のシリンダー錠１３が完全に固定される。
抜け止め部材３４についてこのようにしても第１の実施の形態と同様の作用効果を得ることができる。
【００２５】
図１０に第４の実施の形態を示している。なお、この実施の形態では、抜け止め部材及び抜け止め作動部材の構成のみが第１の実施の形態と異なるので、抜け止め部材及び抜け止め作動部材についてのみ説明し、第１の実施の形態と共通の部材には同じ符号を付して、その重複した説明を省略する。
【００２６】
図１０に示すように、この錠前装置４では、抜け止め部材４４は、一つの押えプレート４４１とばね部材４４８とからなる。
押えプレート４４１は、全体が略円弧状に形成され、一端側がシリンダ錠取付ベース１１の施錠側のシリンダー錠取付穴１１１の周囲でかつマスター錠側のシリンダー錠取付穴１１２とは反対側の所定の位置、この場合、既述の軸保持部にピン軸１４２が挿着されこのピン軸１４２により枢支されて、マスター錠側のシリンダー錠１７に向けて延び、施錠側のシリンダー錠１３の外周面の係止溝１３１にその外周面の片側一方（この場合、上側）の半面側から係止可能になっている。なお、この押えプレート４４１の他端にはマスター錠側のシリンダー錠１７に向けて延びる延長部４４４が設けられる。
ばね部材４４８はコイルスプリングが採用され、シリンダー錠取付ベース１１又は施錠部材取付ベース１２に配設され、押えプレート４４１が施錠側のシリンダー錠１３の外周面の係止溝１３１に係止された状態から離れ、係止状態が解除される方向に押えプレート４４１を押圧付勢するように構成される。この場合は、シリンダー錠取付ベース１１の内側面で施錠側のシリンダー錠取付穴１１１とマスター錠側のシリンダー錠取付穴１１２との間にコイルスプリング挿着用の溝４１８が形成され、また、この溝４１８に対向して、施錠部材取付ベース１２の内側面にコイルスプリング挿着用の溝４１９が形成されて、これら取付ベース１１、１２間の溝４１８、４１９間にばね部材の保持部が形成される。コイルスプリング４４８はこの保持部に配置されて、一端が保持部の底部に固定され、他端が押えプレート４４１の他端延長部４４４に固定され、常態として押えプレート４４１を施錠側のシリンダー錠１３の係止溝１３１から離れ、解除する方向に向けて押圧付勢するようになっている。
抜け止め作動部材４８は、マスター錠側のシリンダー錠１７の錠軸１７Ｓに取り付けられて、錠軸１７Ｓの周囲に略直線的に延び、先端に押えプレート４４１の他端延長部４４４に対して押えプレート４４１を施錠側のシリンダー錠１３の外周面の係止溝１３１に係止させる方向に係合し押圧可能なロック部４８１を有する。この場合、抜け止め作動部材４８は錠軸１７Ｓから略Ｊ字形に延び、特に先端が押えプレート４４１の延長部４４４に衝接し、押え込み可能に曲線的に形成される。このようにして抜け止め作動部材４８は、マスター錠側のシリンダー錠１７のキー操作により、ロック部４８１を押えプレート４４１の他端延長部４４４に係合させて、押えプレート４４１を施錠側のシリンダー錠１３の外周面の係止溝１３１に係止させるロック位置と、ロック部４８１を押えプレート４４１の他端延長部４４４から離間させ、押えプレート４４１と施錠側のシリンダー錠１３の外周面の係止溝１３１との係止状態を解除するアンロック位置との間で回動可能になっている。
このようにすると、図１０（ａ）に示すように、シリンダー錠取付ベース１１のマスター錠側のシリンダー錠１７のキー操作により、ロータ（内筒）をロック位置方向に回動していくと、抜け止め作動部材４８のロック部４８１が押えプレート４４１の延長部４４４に係合、押圧して、この押えプレート４４１がコイルスプリング４４８を圧縮しながらシリンダー錠取付ベース１１の施錠側のシリンダー錠１３の外周面の係止溝１３１に向けて回動し、ロータ（内筒）をロック位置まで回動したところで、この押えプレート４４１が施錠側のシリンダー錠１３の外周面の係止溝１３１に係止され、この押えプレート４４１の延長部４４４が抜け止め作動部材４８のロック部４８１により押え込まれて、この抜け止め作動部材４８により施錠側のシリンダー錠１３が完全に固定される。
そして、この錠前装置４の使用中に、施錠側のシリンダー錠１３の破損やキーの紛失等、又はユーザーの変更による防犯上の理由若しくはユーザーの要求があり、施錠側のシリンダー錠の交換が必要となった場合は、マスター錠側のシリンダー錠１７のキー操作により施錠側のシリンダー錠１３の固定を外して取り外し、新旧のシリンダー錠１３を取り換えればよい。
この場合、図１０（ｂ）に示すように、シリンダー錠取付ベース１１に取り付け固定されたマスター錠側のシリンダー錠１７のキー操作によりこのシリンダー錠１７のロータ（内筒）をアンロック位置に向けて回動し錠軸１７Ｓを駆動すると、この錠軸１７Ｓに取り付けられた抜け止め作動部材４８がアンロック位置に向けて回動し、この抜け止め作動部材４８による押えプレート４４１の延長部４４４への押圧が解除され、押えプレート４４１はコイルスプリング４４８の押圧付勢力により弾性復帰して施錠側のシリンダー錠１３の係止溝１３１から離れ、この押えプレート４４１と施錠側のシリンダー錠１３の係止溝１３１との係止状態が解除される。これにより、施錠側のシリンダー錠１３は施錠側のシリンダー錠取付穴１１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴１１１内から取り外す。そして、新たな施錠側のシリンダー錠１３を先端の錠軸１３Ｓから施錠側のシリンダー錠取付穴１１１に挿入し、錠軸１３Ｓを動力伝達軸１５に差し込んで取り付け、施錠部材１６と作動連結する。この後は、シリンダー錠取付ベース１１のマスター錠側のシリンダー錠１７のキー操作により、ロータ（内筒）をロック位置方向に回動すると、図１０（ａ）に示すように、抜け止め作動部材４８のロック部４８１が押えプレート４４１の延長部４４４に係合、押圧して、この押えプレート４４１がコイルスプリング４４８を圧縮しながらシリンダー錠取付ベース１１の施錠側のシリンダー錠１３の外周面の係止溝１３１に向けて回動し、ロータ（内筒）をロック位置まで回動したところで、この押えプレート４４１が施錠側のシリンダー錠１３の外周面の係止溝１３１に係止され、この押えプレート１３の延長部４４４が抜け止め作動部材４８のロック部４８１により押え込まれて、この抜け止め作動部材４８により施錠側のシリンダー錠１３が完全に固定される。
抜け止め部材４４及び抜け止め作動部材４８についてこのようにしても第１の実施の形態と同様の作用効果を得ることができる。
【００２７】
図１１乃至図１３に第５の実施の形態を示している。なお、この実施の形態では、シリンダー錠取付ベース及び施錠部材取付ベース、施錠側のシリンダー錠の外周面に挿着されるリング、抜け止め部材及び抜け止め作動部材の各構成が第１の実施の形態と異なるので、シリンダー錠取付ベース及び施錠部材取付ベース、リング、抜け止め部材及び抜け止め作動部材それぞれについて説明し、第１の実施の形態と共通の部材には同じ符号を付して、その重複した説明を省略する。
【００２８】
この錠前装置５では、シリンダー錠取付ベース５１及び施錠部材取付ベース５２はそれぞれ、図１１及び図１２に示すように、前部プレートＰと後部ケースＣとにより構成される。
前部プレートＰは後部ケースＣの正面よりも少し大きい横長の長方形に形成され、この前部プレートＰの正面には横方向に２つシリンダー錠の取付穴５１１、５１２が設けられる。一方の取付穴５１１は施錠側のシリンダー錠取付穴で、前方に向けて少し突出して円筒状に形成され、他方の取付穴５１２はマスター錠側のシリンダー錠取付穴で、正面に円形に形成される。
後部ケースＣは、全体が横長の長方形の箱形に形成され、正面と、背面と、上面、下面及び左右の各側面からなる周面とを備える。この後部ケースＣの正面には横方向に２つシリンダー錠の取付穴５１１、５１２が設けられる。一方の取付穴５１１は施錠側のシリンダー錠取付穴で、正面に円形の穴が穿たれ、さらにこの正面の内側面側に断面ハット形のプレートが接合され、このプレートに正面の穴に対向して円形の穴が穿たれて、全体として略円筒状に形成される。他方の取付穴５１２はマスター錠側のシリンダー錠取付穴で、正面に円形に形成される。また、この後部ケースＣの背面には正面の略円筒状の穴に対向して軸挿通穴５２２が穿たれ、さらに背面の内側面に断面ハット形のプレートが接合され、このプレートに正面の略円筒状の穴に対向して施錠側のシリンダー錠１３の先端側が挿通可能な（ロータケースの外径よりも小径の）円形の穴が形成されて、動力伝達軸保持部５２１が形成される。この動力伝達軸保持部５２１内の軸挿通穴５２２の周囲に動力伝達軸１５が保持されて錠軸１５３が軸挿通穴５２２から外部に突出される。また、この動力伝達軸保持部５２１に隣接して、各種の施錠部材に対応して施錠部材装着部５６が形成され、この錠前装置５の場合、施錠部材１６にカムが採用されるので、この動力伝達軸保持部５２１の底面の外側面が施錠部材装着部５６としてカムの取付面になっていて、カムが動力伝達軸１５の錠軸１５３にワッシャ、ナットにより取り付けられる。
このようにして前部プレートＰと後部ケースＣが形成され、シリンダー錠取付ベース５１は前部プレートＰと後部ケースＣの正面とにより構成され、施錠部材取付ベース５２は後部ケースＣの背面により構成される。そして、シリンダー錠取付ベース５１の施錠側のシリンダー錠取付穴５１１に施錠側のシリンダー錠１３が取り付けられ、このシリンダー錠１３の錠軸１３Ｓが動力伝達軸１５の溝１５０に挿入されて、施錠側のシリンダー錠１３が動力伝達軸１５を介して施錠部材１６に作動連結される。また、シリンダー錠取付ベース５１のマスター錠側のシリンダー錠取付穴５１２にマスター錠側のシリンダー錠１７が挿着され、シリンダー錠取付ベース５１の内側からこのシリンダー錠１７の外周面（のねじ）にナット１７０が締め込まれて固定される。
【００２９】
リング５３０は、既述のリング１３０と略同様の構成を有しているが、この場合、係止溝５３１が外周面の軸方向略中央に形成される点で既述のものと異なる。
【００３０】
抜け止め部材５４は、図１３に示すように、一つのスライドプレート５４１とガイド部材５４Ｇとばね部材５４９とからなる。
スライドプレート５４１は、全体が略矩形状のプレートからなり、施錠側のシリンダー錠１３を挿通可能な大きい穴５４２と施錠側のシリンダー錠１３の外周面の溝５３１に係止可能な小さい穴５４３を横方向（水平方向）に連続形成してなるだるま穴５４４を有し、施錠部材取付ベース５２（又はシリンダー錠取付ベース）でかつ施錠側のシリンダー錠取付穴５１１の周囲に組み込み可能に形成されて、施錠部材取付ベース５２（又はシリンダー錠取付ベース）でかつ施錠側のシリンダー錠取付穴５１１の周囲に、この場合は、後部ケースＣ内のプレート間に施錠側のシリンダー錠取付穴５１１からマスター錠側のシリンダー錠取付穴５１２に向けて又はその反対にスライド可能に配置される。また、このスライドプレート５４１においては、このスライドプレート５４１のマスター錠側のシリンダー錠１７とは反対側の一端にばね部材取付部５４５が溝形に形成され、マスター錠側のシリンダー錠１７側の他端に抜け止め作動部材５８に押圧される被押圧面５４６がスライドプレート５４１のプレート面に対して直角にマスター錠側のシリンダ錠１７の軸方向と平行に形成される。
ガイド部材５４Ｇは、施錠部材取付ベース５２（又はシリンダー錠取付ベース）とスライドプレート５４１との間に配設され、スライドプレート５４１を、だるま穴５４４の大きい穴５４２が施錠側のシリンダー錠取付穴５１１に対して同芯上に一致して施錠側のシリンダー錠取付穴５１１に施錠側のシリンダー錠１３が挿脱可能な位置と、だるま穴５４４の小さい穴５４３が施錠側のシリンダー錠取付穴５１１に対して同芯上に一致して小さい穴５４３の縁部が施錠側のシリンダー錠１３の外周面の係止溝５３１に係止可能な位置との間で、スライド案内する。この場合、施錠部材取付ベース５２（又はシリンダー錠取付ベース）側に、ここでは施錠部材取付ベース５２をなす後部ケースＣの背面内側面のプレートで施錠側のシリンダー錠取付穴５１１の上下所定の位置に相当する位置それぞれガイドピン５４７が突設され、スライドプレート５４１側に、ここではだるま穴５４４の上下所定の位置にそれぞれスライドプレート５４１のスライド方向に長い長穴状のガイド穴５４８が穿設されて、これらガイドピン５４７とガイド穴５４８との係合により、スライドプレート５４１を、だるま穴５４４の大きい穴５４２が施錠側のシリンダー錠取付穴５１１に対して同芯上に一致して施錠側のシリンダー錠取付穴５１１に施錠側のシリンダー錠１３が挿脱可能な位置と、だるま穴５４４の小さい穴５４３が施錠側のシリンダー錠取付穴５１１に対して同芯上に一致してこの小さい穴５４３の縁部が施錠側のシリンダー錠１３の外周面の係止溝５３１に係止可能な位置に、スライド案内する。
ばね部材５４９は、コイルスプリングが採用され、一端が施錠部材取付ベース５２（又はシリンダー錠取付ベース）をなす後部ケースＣの側面に固定され、他端がスライドプレート５４１の一端のばね部材取付部５４５に固定されて、施錠部材取付ベース５２（又はシリンダー錠取付ベース）に配設され、スライドプレート５４１を常態としてだるま穴５４４の大きい穴５４２が施錠側のシリンダー錠取付穴５１１に対して同芯上に一致可能にマスター錠側のシリンダー錠１７に向けて押圧付勢する。
抜け止め作動部材５８は、マスター錠側のシリンダー錠１７の錠軸１７Ｓに取り付けられて、錠軸１７Ｓの周囲に略直線的に延び、先端にスライドプレート５４１に対してだるま穴５４４の小さい穴５４３が施錠側のシリンダー錠取付穴５１１に対して同芯上に一致する方向に係合して押圧可能なロック部５８１を有する。この抜け止め作動部材５８の形状をより具体的に言えば、抜け止め作動部材５８は錠軸１７Ｓから略Ｔ字形に延び、先端（一端）のロック部５８１がスライドプレート５４１の他端の被押圧面５４６に衝接し押圧可能に曲線状のハンマー形に形成される。このようして抜け止め作動部材５８は、マスター錠側のシリンダー錠１７のキー操作により、ロック部５８１をスライドプレート５４１の被押圧面５４６に係合させて、コイルスプリング５４９の押圧付勢力に抗して、スライドプレート５４１をスライドさせだるま穴５４４の小さい穴５４３を施錠側のシリンダー錠１３の外周面の係止溝５３１に係止させるロック位置と、ロック部５８１をスライドプレート５４１の被押圧面５４６から離間させて、コイルスプリング５４９の押圧付勢力によりスライドプレート５４１をスライドさせだるま穴５４４の小さい穴５４３と施錠側のシリンダー錠１３の外周面の係止溝５３１との係止状態を解除し、だるま穴５４４の大きい穴５４２を施錠側のシリンダー錠１３に対して同芯上に一致させるアンロック位置との間で回動可能に構成される。
【００３１】
この錠前装置５はこのような構成を備え、図１２に示すように、前部プレートＰが扉の錠前取付位置の正面側に、後部ケースＣが錠前取付位置の背面側に、それぞれ、扉の錠前取付位置の施錠側のシリンダー錠の取付穴、マスター錠側のシリンダー錠の取付穴に合せて取付ねじにより取り付けられる。
【００３２】
このようにすると、図１３（ａ）に示すように、シリンダー錠取付ベース５１のマスター錠側のシリンダー錠１７のキー操作により、ロータ（内筒）をロック位置方向に回動していくと、抜け止め作動部材５８のロック部５８１がスライドプレート５４１の被押圧面５４６を係合、押圧して、このスライドプレート５４１がコイルスプリング５４９を圧縮しながらガイド部材５４Ｇの案内によりだるま穴５４４の小さい穴５４３をシリンダー錠取付ベース５１の施錠側のシリンダー錠１３の外周面の係止溝５３１に向けてスライドし、ロータ（内筒）をロック位置まで回動したところで、このスライドプレート５４１のだるま穴５４４の小さい穴５４３が施錠側のシリンダー錠１３の外周面の係止溝１３１に係止され、このスライドプレート５４１の被押圧面５４６が抜け止め作動部材５８のロック部５８１により押え込まれて、この抜け止め作動部材５８により施錠側のシリンダー錠１３が完全に固定される。
そして、この錠前装置５の使用中に、施錠側のシリンダー錠１３の破損やキーの紛失等、又はユーザーの変更による防犯上の理由若しくはユーザーの要求があり、施錠側のシリンダー錠１３の交換が必要となった場合は、マスター錠側のシリンダー錠１７のキー操作により施錠側のシリンダー錠１３の固定を外して取り外し、新旧のシリンダー錠１３を取り換えればよい。
この場合、図１３（ｂ）に示すように、シリンダー錠取付ベース５１に取り付け固定されたマスター錠側のシリンダー錠１７のキー操作によりこのシリンダー錠１７のロータ（内筒）をアンロック位置に向けて回動し錠軸１７Ｓを駆動すると、この錠軸１７Ｓに取り付けられた抜け止め作動部材５８がアンロック位置に向けて回動し、この抜け止め作動部材５８によるスライドプレート５４１の被押圧面５４６への押圧が解除され、スライドプレート５４１はコイルスプリング５４９の押圧付勢力により弾性復帰し、ガイド部材５４Ｇの案内によりだるま穴５４４の小さい穴５４３が施錠側のシリンダー錠１３の係止溝５３１から離れてこのスライドプレート５４１と施錠側のシリンダー錠１３の係止溝５３１との係止状態が解除されるとともに、だるま穴５４４の大きい穴５４２と施錠側のシリンダー錠取付穴５１１が同芯上に一致される。これにより、施錠側のシリンダー錠１３は施錠側のシリンダー錠取付穴５１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴５１１内から取り外す。そして、新たな施錠側のシリンダー錠１３を先端の錠軸１３Ｓから施錠側のシリンダー錠取付穴５１１に挿入し、錠軸１３Ｓを動力伝達軸１５に差し込んで取り付け、施錠部材１６と作動連結する。この後は、シリンダー錠取付ベース５１のマスター錠側のシリンダー錠１７のキー操作により、ロータ（内筒）をロック位置方向に回動すると、図１３（ａ）に示すように、抜け止め作動部材５８のロック部５８１がスライドプレート５４１の被押圧面５６を係合、押圧して、このスライドプレート５４１がコイルスプリング５９を圧縮しながらガイド部材５４Ｇの案内によりだるま穴５４４の小さい穴５４３を施錠側のシリンダー錠１３の外周面の係止溝５３１に向けてスライドし、ロータ（内筒）をロック位置まで回動したところで、このスライドプレート５４１が施錠側のシリンダー錠１３の外周面の係止溝５３１に係止され、このスライドプレート５４１の被押圧面５４６が抜け止め作動部材５８のロック部５８１により押え込まれて、この抜け止め作動部材５８により施錠側のシリンダー錠１３が完全に固定される。
シリンダー錠取付ベース５１及び施錠部材取付ベース５２、リング５３０、抜け止め部材５４及び抜け止め作動部材５８についてこのようにしても第１の実施の形態と同様の作用効果を得ることができる。
【００３３】
図１４に第６の実施の形態を示している。なお、この実施の形態では、抜け止め部材及び抜け止め作動部材の構成のみが第５の実施の形態と異なるので、抜け止め部材及び抜け止め作動部材についてのみ説明し、第１、第５の各実施の形態と共通の部材には同じ符号を付して、その重複した説明を省略する。
【００３４】
図１４に示すように、この錠前装置６では、抜け止め部材６４は、一つのスライドプレート６４１とガイド部材６４Ｇとからなる。
スライドプレート６４１は、全体が略矩形状のプレートからなり、施錠側のシリンダー錠１３が挿通可能な大きい穴６４２と施錠側のシリンダー錠１３の外周面の係止溝５３１に係止可能な小さい穴６４３を横方向（水平方向）に連続形成してなるだるま穴６４４を有し、施錠部材取付ベース５２（又はシリンダー錠取付ベース）でかつ施錠側のシリンダー錠取付穴５１１の周囲に組み込み可能に形成されて、施錠部材取付ベース５２（又はシリンダー錠取付ベース）でかつ施錠側のシリンダー錠取付穴５１１の周囲に施錠側のシリンダー錠取付穴５１１からマスター錠側のシリンダー錠取付穴５１２に向けて又はその反対にスライド可能に配置される。また、このスライドプレート６４１においては、このスライドプレート６４１のマスター錠側のシリンダー錠取付穴５１２側の端部に、スライドプレート６４１をだるま穴６４４の小さい穴６４３が施錠側のシリンダー錠取付穴５１１に対して同芯上に一致する方向に押圧するための被押圧面６４６Ａ、及びスライドプレート６４１をだるま穴６４４の大きい穴６４２が施錠側のシリンダー錠取付穴５１１に対して同芯上に一致する方向に押圧するための被係止押圧面６４６Ｂがそれぞれ設けられる。この場合、被押圧面６４６Ａはこのスライドプレート６４１の他端の上下方向中間部でかつ施錠側のシリンダー錠取付穴５１１とマスター錠側のシリンダー錠取付穴５１２との間に設けられ、プレート面に対して直角にマスター錠側のシリンダー錠１７の軸方向と平行に形成される。被係止押圧面６４６Ｂはこのスライドプレート６４１の他端の下部がマスター錠側のシリンダー錠取付穴５１２の下部付近まで延長されてこの延長下部に設けられ、プレート面に対して直角にマスター錠側のシリンダー錠１７の軸方向と平行に形成される。
ガイド部材６４Ｇは、施錠部材取付ベース５２（又はシリンダー錠取付ベース）とスライドプレート６４１との間に配設され、スライドプレート６４１を、だるま穴６４４の大きい穴６４２が施錠側のシリンダー錠取付穴５１１に対して同芯上に一致して施錠側のシリンダー錠取付穴５１１に施錠側のシリンダー錠１３が挿脱可能な位置と、だるま穴６４４の小さい穴６４３が施錠側のシリンダー錠取付穴５１１に対して同芯上に一致して小さい穴６４３の縁部が施錠側のシリンダー錠１３の外周面の係止溝５３１に係止可能な位置との間で、スライド案内する。この場合、施錠部材取付ベース５２（又はシリンダー錠取付ベース）側で、ここでは施錠側のシリンダー錠取付穴５１１の上下所定の位置に対応する位置にそれぞれガイドピン６４７が突設され、スライドプレート６４１側に、ここではだるま穴６４４の上下所定の位置にそれぞれスライドプレート６４１のスライド方向に長い長穴状のガイド穴６４８が穿設されて、これらガイドピン６４７とガイド穴６４８との係合により、スライドプレート６４１を、だるま穴６４４の大きい穴６４２が施錠側のシリンダー錠取付穴５１１に対して同芯上に一致して施錠側のシリンダー錠取付穴５１１に施錠側のシリンダー錠１３が挿脱可能な位置と、だるま穴６４４の小さい穴６４３が施錠側のシリンダー錠取付穴５１１に対して同芯上に一致してこの小さい穴６４３の縁部が施錠側のシリンダー錠１３の外周面の係止溝５３１に係止可能な位置にスライド案内する。
抜け止め作動部材６８は、マスター錠側のシリンダー錠１７の錠軸１７Ｓに取り付けられて、錠軸１７Ｓの周囲に略直線的に延び、先端側にスライドプレート６４１の被押圧面６４６Ａに対してだるま穴６４４の小さい穴６４３が施錠側のシリンダー錠取付穴５１１に対して同芯上に一致する方向に係合して、又はスライドプレート６４１の被係止押圧面６４６Ｂに対してだるま穴６４４の大きい穴６４２が施錠側のシリンダー錠取付穴５１１に対して同芯上に一致する方向に係合して押圧可能なロック部６８１を有する。この抜け止め作動部材６８の形状をより具体的に言えば、抜け止め作動部材６８は錠軸１７Ｓから略ヘの字形に延び、ロック部６８１は、先端縁部がスライドプレート６４１の他端の被押圧面６４６Ａに衝接し押圧可能に、かつロック部６８１がスライドプレート６４１の他端の被係止押圧面６４６Ｂと被押圧面６４６Ａとの間に嵌合してロック部６８１の一方の側縁部が被係止押圧面６４６Ｂに係止し押圧可能に、略台形状に形成される。このようして抜け止め作動部材６８は、マスター錠側のシリンダー錠１７のキー操作により、ロック部６８１の先端縁部をスライドプレート６４１の被押圧面６４６Ａに係合させて、スライドプレート６４１をスライドさせだるま穴６４４の小さい穴６４３を施錠側のシリンダー錠１３の外周面の係止溝５３１に係止させるロック位置と、ロック部６８１をスライドプレート６４１の他端の被係止押圧面６４６Ｂと被押圧面６４６Ａとの間に嵌合してロック部６８１の一方の側縁部を被係止押圧面６４６Ｂに係合させて、スライドプレート６４１をスライドさせだるま穴６４４の小さい穴６４３と施錠側のシリンダー錠１３の外周面の係止溝５３１との係止状態を解除し、だるま穴６４４の大きい穴６４２を施錠側のシリンダー錠取付穴５１１に対して同芯上に一致させるアンロック位置との間で回動可能に構成される。
このようにすると、図１４（ａ）に示すように、シリンダー錠取付ベース５１のマスター錠側のシリンダー錠１７のキー操作により、ロータ（内筒）をロック位置方向に回動していくと、抜け止め作動部材６８のロック部６８１がスライドプレート６４１の被押圧面６４６Ａを係合、押圧して、このスライドプレート６４１がガイド部材６４Ｇの案内によりだるま穴６４４の小さい穴６４３をシリンダー錠取付ベース５１の施錠側のシリンダー錠１３の外周面の係止溝５３１に向けてスライドし、ロータ（内筒）をロック位置まで回動したところで、このスライドプレート６４１のだるま穴６４４の小さい穴６４３が施錠側のシリンダー錠１３の外周面の係止溝５３１に係止され、このスライドプレート６４１の被押圧面６４６Ａが抜け止め作動部材６８のロック部６８１の先端縁部により押え込まれて、この抜け止め作動部材６８により施錠側のシリンダー錠１３が完全に固定される。
そして、この錠前装置６の使用中に、施錠側のシリンダー錠１３の破損やキーの紛失等、又はユーザーの変更による防犯上の理由若しくはユーザーの要求があり、施錠側のシリンダー錠１３の交換が必要となった場合は、マスター錠側のシリンダー錠１７のキー操作により施錠側のシリンダー錠１３の固定を外して取り外し、新旧のシリンダー錠１３を取り換えればよい。
この場合、図１４（ｂ）に示すように、シリンダー錠取付ベース５１に取り付け固定されたマスター錠側のシリンダー錠１７のキー操作によりこのシリンダー錠１５のロータ（内筒）をアンロック位置に向けて回動し錠軸１７Ｓを駆動すると、この錠軸１７Ｓに取り付けられた抜け止め作動部材６８がアンロック位置に向けて回動し、この抜け止め作動部材６８のロック部６８１によるスライドプレート６４１の被押圧面６４６Ａへの押圧が解除されるとともに、このロック部６８１がスライドプレート６４１の被係止押圧面６４６Ｂと被押圧面６４６Ａとの間に嵌合してロック部６８１の一方の側縁部が被係止押圧面６４４６Ｂに係合、押圧し、スライドプレート６４１は、ガイド部材６４Ｇの案内により、だるま穴６４４の小さい穴６４３が施錠側のシリンダー錠１３の係止溝５３１から離れてこのスライドプレート６４１と施錠側のシリンダー錠１３の係止溝５３１との係止状態が解除されるとともに、だるま穴６４４の大きい穴６４２と施錠側のシリンダー錠１３が一致される。これにより、施錠側のシリンダー錠１３は施錠側のシリンダー錠取付穴５１１内でフリーになり、挿脱可能となる。この状態から施錠側のシリンダー錠１３を引抜き、このシリンダー錠１３の錠軸１３Ｓを動力伝達軸１５から抜け外して、施錠側のシリンダー錠取付穴５１１内から取り外す。そして、新たな施錠側のシリンダー錠１３を先端の錠軸１３Ｓから施錠側のシリンダー錠取付穴５１１に挿入し、錠軸１３Ｓを動力伝達軸１５に差し込んで取り付け、施錠部材１６と作動連結する。この後は、シリンダー錠取付ベース５１のマスター錠側のシリンダー錠１７のキー操作により、ロータ（内筒）をロック位置方向に回動すると、図１４（ａ）に示すように、抜け止め作動部材６８のロック部６８１がスライドプレート６４１の被押圧面６４６Ａを係合、押圧して、このスライドプレート６４１がガイド部材６４Ｇの案内によりだるま穴６４４の小さい穴６４３を施錠側のシリンダー錠１３の外周面の係止溝５３１に向けてスライドし、ロータ（内筒）をロック位置まで回動したところで、このスライドプレート６４１のだるま穴６４４の小さい穴６４３が施錠側のシリンダー錠１３の外周面の係止溝５３１に係止され、このスライドプレート６１の被押圧面６４６Ａがロック部６８１の先端縁部により押え込まれて、この抜け止め作動部材６８により施錠側のシリンダー錠１３が完全に固定される。
抜け止め部材６４及び抜け止め作動部材６８についてこのようにしても第１の実施の形態と同様の作用効果を得ることができる。
【００３５】
なお、上記各実施の形態では、マスター錠付き錠前装置を施錠部材にカムを用いたカムロックとして例示したが、これらの錠前装置を施錠部材にスラムラッチやデッドボルトなど他の掛け金を用いた形式に変えることができる。この場合、図１５に示すように、施錠部材取付ベース１２、５２に動力伝達軸保持部１２１、５３１に隣接して、スラムラッチやデッドボルトなど各種の施錠部材１６に対応する施錠部材装着部１２３、５２３が形成され、動力伝達軸保持部１２１、５３１に各種の施錠部材１６に対応する動力伝達軸１５が取り付けられて各種の施錠部材１６に作動連結される。
また、上記各実施の形態では、施錠側のシリンダー錠に標準品を使用し、外周面に係止溝を設けるために、施錠側のシリンダー錠の外周面に係止溝付きのリングを装着するようにしたが、図５（ｂ）に示すように、この錠前装置の専用に、ロータケース（外筒）の外周面に係止溝１３１、５３１を有する施錠側のシリンダー錠１３を製作し使用してもよい。
さらに、上記各実施の形態では、老人ホームや各種の老人福祉施設に設置されるロッカーに適用するマスター錠付き錠前装置を例示したが、各種のスポーツ施設など設置されるロッカーや、オフィスなどに設置されるロッカー、キャビネットなどの施錠にも同様に適用できることは勿論である。
いずれの場合でも、錠前装置の各部に概ね上記と同様の構成を有する限り、上記と同様の作用効果を奏することができる。
【符号の説明】
【００３６】
１  マスター錠付き錠前装置
１１  シリンダー錠取付ベース
１１１  施錠側のシリンダー錠取付穴
１１２  マスター錠側のシリンダー錠取付穴
１１３  軸保持部
１１４  軸保持部
１１５  ねじ穴
１１６  ねじ穴
１１７  フランジ
１１８  溝
１２  施錠部材取付ベース
１２１  動力伝達軸保持部
１２２  軸挿通穴
１２３  施錠部材装着部
１２８  溝
１３  施錠側のシリンダー錠
１３Ｓ  錠軸
１３０  リング
１３１  係止溝
１４  抜け止め部材
１４１  押えプレート
１４２  ピン軸
１４Ｃ  カム機構
１４３  カム形状
１４４  延長部
１４４Ｓ  押え込み部
１４５  押えプレート
１４６  ピン軸
１４７  カム形状
１４８  ばね部材（コイルスプリング）
１５  動力伝達軸
１５０  溝
１５１  軸本体
１５２  フランジ
１５３  錠軸
１６  施錠部材
１７  マスター錠側のシリンダー錠
１７Ｓ  錠軸
１７０  ナット
１８  抜け止め作動部材
１８１  ロック部
１８２  押圧部
１９  ねじ
２  マスター錠付き錠前装置
２４  抜け止め部材
２４Ｇ  ギヤ機構
２４１  押えプレート
２４３  ギヤ形状
２４４  延長部
２４４Ｓ  押え込み部
２４５  押えプレート
２４７  ギヤ形状
３  マスター錠付き錠前装置
３４  抜け止め部材
３４１  押えプレート
３４４  延長部
３４４Ｓ  押え込み部
４  マスター錠付き錠前装置
４１８  溝
４１９  溝
４４  抜け止め部材
４４１  押えプレート
４４４  延長部
４４８  ばね部材（コイルスプリング）
４８  抜け止め作動部材
４８１  ロック部
５  マスター錠付き錠前装置
Ｐ  前部プレート
Ｃ  後部ケース
５１  シリンダー錠取付ベース
５１１  施錠側のシリンダー錠取付穴
５１２  マスター錠側のシリンダー錠取付穴
５２  施錠部材取付ベース
５２１  動力伝達軸保持部
５２２  軸挿通穴
５２３  施錠部材装着部
５３０  リング
５３１  係止溝
５４  抜け止め部材
５４１  スライドプレート
５４２  大きい穴
５４３  小さい穴
５４４  だるま穴
５４５  ばね部材取付部
５４６  被押圧面
５４Ｇ  ガイド部材
５４７  ガイドピン
５４８  ガイド穴
５４９  ばね部材（コイルスプリング）
５８  抜け止め作動部材
５８１  ロック部
６  マスター錠付き錠前装置
６４  抜け止め部材
６４１  スライドプレート
６４２  大きい穴
６４３  小さい穴
６４４  だるま穴
６４６Ａ  被押圧面
６４６Ｂ  被係止押圧面
６４Ｇ  ガイド部材
６４７  ガイドピン
６４８  ガイド穴
６８  抜け止め作動部材
６８１  ロック部
【図１】
2015031139.tif 000003
【図２】
2015031139.tif 000004
【図３】
2015031139.tif 000005
【図４】
2015031139.tif 000006
【図５】
2015031139.tif 000007
【図６】
2015031139.tif 000008
【図７】
2015031139.tif 000009
【図８】
2015031139.tif 000010
【図９】
2015031139.tif 000011
【図１０】
2015031139.tif 000012
【図１１】
2015031139.tif 000013
【図１２】
2015031139.tif 000014
【図１３】
2015031139.tif 000015
【図１４】
2015031139.tif 000016
【図１５】
2015031139.tif 000017